(57)【要約】【課題】管理対象者に携行させる装置を小型で安価にし、かつ広い範囲で管理対象者の安否確認を得ることができる安否確認システムを構築する。【解決手段】安否タグ１００と無線通信を行うとともに、通信網５００を介してＩＤ管理装置３００と通信を行う安否携帯２００（携帯電話端末）であって、安否タグ通信部２０１が安否タグ１００からタグＩＤ１５０を無線通信により受信し、位置情報取得部２０３が自安否携帯２００の位置情報を取得し、ＩＤ伝送処理部２０２が安否タグ通信部２０１がタグ１５０ＩＤを受信した場合に、受信したタグＩＤ１５０と受信時刻情報と取得した自安否携帯２００の位置情報を含む受信端末位置情報と自安否携帯２００を特定する受信携帯端末情報とを含むＩＤ情報２５１を生成し、通信部２０４がＩＤ伝送処理部２０２が生成したＩＤ情報２５１を、ＩＤ管理装置３００へ送信する。【選択図】図２
2010015407.tif 000002
【特許請求の範囲】
【請求項１】
無線通信を行う無線タグと、無線通信を行うとともに通信網を介して通信を行う携帯電話端末と、上記通信網を介して上記携帯電話端末と通信するとともに上記無線タグを付与された管理対象の状況を示す状況情報を生成して管理端末に出力する管理装置とを有する管理システムであって、
上記無線タグは、
自無線タグを一意に識別するためのＩＤ（Ｉｄｅｎｔｉｆｉｃａｔｉｏｎ  Ｄａｔａ）を記憶するＩＤ記憶部と、
上記ＩＤ記憶部に記憶された上記ＩＤを無線通信により上記携帯電話端末に発信するタグ発信部とを備え、
上記携帯電話端末は、
上記無線タグから上記ＩＤを無線通信により受信する無線タグ通信部と、
自携帯電話端末の位置情報を取得する位置情報取得部と、
上記無線タグ通信部が上記ＩＤを受信した場合に、受信した上記ＩＤと上記ＩＤを受信した時刻を示す受信時刻情報と上記位置情報取得部により取得した上記自携帯電話端末の位置情報を含む受信端末位置情報と自携帯電話端末を特定する情報である受信携帯端末情報とを含むＩＤ情報を生成するＩＤ伝送処理部と、
上記ＩＤ伝送処理部が生成した上記ＩＤ情報を、上記通信網を介して上記管理装置へ送信する送信部とを備え、
上記管理装置は、
上記携帯電話端末より上記ＩＤ情報を通信網を介して受信して、受信した上記ＩＤ情報を記憶装置に蓄積してＩＤ情報データベースとして記憶するＩＤ蓄積部と、  上記ＩＤ蓄積部が記憶する上記ＩＤ情報データベースに基づいて、上記ＩＤ情報に含まれる上記受信携帯端末情報を含む上記状況情報を生成して上記管理端末へ出力するＩＤ管理部と
を備えることを特徴とする管理システム。
【請求項２】
上記ＩＤ管理部は、さらに、
上記ＩＤ情報に含まれる上記受信時刻情報と上記受信端末位置情報とに基づいて、上記管理対象の位置の履歴を示す位置履歴情報を上記状況情報に含めることを特徴とする請求項１に記載の管理システム。
【請求項３】
上記携帯電話端末は、不特定多数の所有者により所持されることを特徴とする請求項１又は２に記載の管理システム。
【請求項４】
上記無線タグは、さらに、
緊急時にオンに操作される緊急スイッチを備え、
上記タグ発信部は、
上記緊急スイッチがオンに操作された場合に、上記ＩＤに緊急時であることを示す緊急情報を付与して上記ＩＤを発信し続けることを特徴とする請求項１〜３のいずれかに記載の管理システム。
【請求項５】
上記ＩＤ伝送処理部は、さらに、
受信した上記ＩＤに上記緊急情報が付与されているか否かを処理装置により判断して、上記緊急情報が付与されている場合には、上記ＩＤ情報に緊急時であることを示す緊急ステータスを含めることを特徴とする請求項４に記載の管理システム。
【請求項６】
上記管理装置は、さらに、
緊急を知らせる緊急通知を上記管理端末に出力する緊急処理部を備え、
上記ＩＤ蓄積部は、さらに、
受信した上記ＩＤ情報に上記緊急ステータスが付与されているか否かを処理装置により判断して、上記緊急ステータスが付与されている場合には、上記緊急ステータスが付与されている上記ＩＤ情報を上記緊急処理部に出力し、
上記緊急処理部は、
上記ＩＤ蓄積部より上記緊急ステータスが付与されている上記ＩＤ情報を入力した場合に、上記緊急通知を上記管理端末に出力することを特徴とする請求項５に記載の管理システム。
【請求項７】
無線タグと無線通信を行うとともに、通信網を介して所定の送信先と通信を行う携帯電話端末であって、
上記無線タグから上記無線タグを一意に識別するためのＩＤ（Ｉｄｅｎｔｉｆｉｃａｔｉｏｎ  Ｄａｔａ）を無線通信により受信する無線タグ通信部と、
自携帯電話端末の位置情報を取得する位置情報取得部と、
上記無線タグ通信部が上記ＩＤを受信した場合に、受信した上記ＩＤと上記ＩＤを受信した時刻を示す受信時刻情報と上記位置情報取得部により取得した上記自携帯電話端末の位置情報を含む受信端末位置情報と自携帯電話端末を特定する情報である受信携帯端末情報とを含むＩＤ情報を生成するＩＤ伝送処理部と、
上記ＩＤ伝送処理部が生成した上記ＩＤ情報を、上記通信網を介して上記所定の送信先へ送信する送信部と
を備えたことを特徴とする携帯電話端末。
【請求項８】
上記無線タグ通信部は、
周辺に存在する無線タグに対して上記ＩＤの発信を要求するＩＤ発信要求を定期的に送信し、送信した上記ＩＤ発信要求に対する応答として上記ＩＤを受信することを特徴とする請求項７に記載の携帯電話端末。
【請求項９】
携帯電話端末と無線通信を行う無線タグであって、
自無線タグを一意に識別するためのＩＤを記憶するＩＤ記憶部と、
上記ＩＤ記憶部に記憶された上記ＩＤを無線通信により上記携帯電話端末に発信するタグ発信部と、
緊急時にオンに操作される緊急スイッチとを備え、
上記タグ発信部は、
上記緊急スイッチがオンに操作された場合に、上記ＩＤに緊急時であることを示す緊急情報を付与して上記ＩＤを発信し続けることを特徴とする無線タグ。
【請求項１０】
上記無線タグは、さらに、
上記携帯電話端末により送信される上記ＩＤの発信を要求するＩＤ発信要求を受信するタグ受信部を備え、
上記タグ発信部は、
上記タグ受信部が上記ＩＤ発信要求を受信した場合に、上記ＩＤ発信要求に対する応答として上記ＩＤを発信することを特徴とする請求項９に記載の無線タグ。
【請求項１１】
上記緊急スイッチは、
上記無線タグに設けられた差込穴部と、上記差込穴部に差し込まれる緊急プラグとから構成され、上記緊急プラグが上記差込穴部に差し込まれることにより、オンに操作されることを特徴とする請求項９または１０に記載の無線タグ。
【請求項１２】
上記緊急プラグは、
上記差込穴部に挿入されるプラグ差込部と、上記プラグ差込部が上記差込穴部に挿入された場合でも上記差込穴部の外部に露出するように上記プラグ差込部と連結されて設けられたプラグ頭部とを有し、
上記緊急スイッチは、
オンに操作された後に、上記プラグ差込部と上記プラグ頭部とが切断されることにより、オンからオフに戻すことができなくなる
ことを特徴とする請求項１１に記載の無線タグ。
【請求項１３】
無線通信を行う無線タグと、無線通信を行うとともに通信網を介して通信を行う携帯電話端末と、上記通信網を介して上記携帯電話端末と通信するとともに上記無線タグを付与された管理対象の状況を示す状況情報を生成して管理端末に出力する管理装置とを有する管理システムの管理プログラムであって、
上記無線タグのＩＤ記憶部が、自無線タグを一意に識別するためのＩＤ（Ｉｄｅｎｔｉｆｉｃａｔｉｏｎ  Ｄａｔａ）を記憶するＩＤ記憶処理と、
上記無線タグのタグ発信部が、上記ＩＤ記憶処理により記憶された上記ＩＤを無線通信により上記携帯電話端末に発信するタグ発信処理と、
上記携帯電話端末の無線タグ通信部が、上記無線タグから上記ＩＤを無線通信により受信する無線タグ通信処理と、
上記携帯電話端末の位置情報取得部が、自携帯電話端末の位置情報を取得する位置情報取得処理と、
上記携帯電話端末のＩＤ伝送処理部が、上記無線タグ通信処理により上記ＩＤを受信した場合に、受信した上記ＩＤと上記ＩＤを受信した時刻を示す受信時刻情報と上記位置情報取得処理により取得した上記自携帯電話端末の位置情報を含む受信端末位置情報と自携帯電話端末を特定する情報である受信携帯端末情報とを含むＩＤ情報を生成するＩＤ伝送処理と、
上記携帯電話端末の送信部が、上記ＩＤ伝送処理により生成した上記ＩＤ情報を、上記通信網を介して上記管理装置へ送信する送信処理と、
上記管理装置のＩＤ蓄積部が、上記携帯電話端末より上記ＩＤ情報を通信網を介して受信して、受信した上記ＩＤ情報を記憶装置に蓄積してＩＤ情報データベースとして記憶するＩＤ蓄積処理と、
上記管理装置のＩＤ管理部が、上記ＩＤ蓄積処理により記憶された上記ＩＤ情報データベースに基づいて、上記ＩＤ情報に含まれる上記受信携帯端末情報を含む上記状況情報を生成して上記管理端末へ出力するＩＤ管理処理と
をコンピュータに実行させることを特徴とする管理システムの管理プログラム。
【請求項１４】
上記ＩＤ管理処理は、さらに、
上記ＩＤ情報に含まれる上記受信時刻情報と上記受信端末位置情報とに基づいて、上記管理対象の位置の履歴を示す位置履歴情報を上記状況情報に含める処理をコンピュータに実行させることを特徴とする請求項１３に記載の管理システムの管理プログラム。
【請求項１５】
上記管理システムの管理プログラムは、さらに、
上記無線タグの処理装置が、上記無線タグの緊急スイッチが緊急時にオンに操作されたと判断する緊急スイッチ処理をコンピュータに実行させ、
上記タグ発信処理は、
上記緊急スイッチ処理により上記緊急スイッチがオンに操作されたと判断された場合に、上記ＩＤに緊急時であることを示す緊急情報を付与して上記ＩＤを発信し続ける処理をコンピュータに実行させることを特徴とする請求項１３または１４に記載の管理システムの管理プログラム。
【請求項１６】
上記ＩＤ伝送処理は、さらに、
受信した上記ＩＤに上記緊急情報が付与されているか否かを処理装置により判断して、上記緊急情報が付与されている場合には、上記ＩＤ情報に緊急時であることを示す緊急ステータスを含める処理をコンピュータに実行させることを特徴とする請求項１５に記載の管理システムの管理プログラム。
【請求項１７】
上記管理システムの管理プログラムは、さらに、
上記管理装置の緊急処理部が、緊急を知らせる緊急通知を上記管理端末に出力する緊急処理をコンピュータに実行させ、
上記ＩＤ蓄積処理は、さらに、
受信した上記ＩＤ情報に上記緊急ステータスが付与されているか否かを処理装置により判断して、上記緊急ステータスが付与されている場合には、上記緊急ステータスが付与されている上記ＩＤ情報を上記緊急処理に出力し、
上記緊急処理は、
上記ＩＤ蓄積処理より上記緊急ステータスが付与されている上記ＩＤ情報を入力した場合に、上記緊急通知を上記管理端末に出力する処理をコンピュータに実行させることを特徴とする請求項１６に記載の管理システムの管理プログラム。
【請求項１８】
無線タグと無線通信を行うとともに、通信網を介して所定の送信先と通信を行う携帯電話端末の端末通信プログラムであって、
無線タグ通信部が、上記無線タグから上記無線タグを一意に識別するためのＩＤ（Ｉｄｅｎｔｉｆｉｃａｔｉｏｎ  Ｄａｔａ）を無線通信により受信する無線タグ通信処理と、
位置情報取得部が、自携帯電話端末の位置情報を取得する位置情報取得処理と、
ＩＤ伝送処理部が、上記無線タグ通信処理により上記ＩＤを受信した場合に、受信した上記ＩＤと上記ＩＤを受信した時刻を示す受信時刻情報と上記位置情報取得処理により取得した上記自携帯電話端末の位置情報を含む受信端末位置情報と自携帯電話端末を特定する情報である受信携帯端末情報とを含むＩＤ情報を生成するＩＤ伝送処理と、
送信部が、上記ＩＤ伝送処理により生成された上記ＩＤ情報を、上記通信網を介して上記所定の送信先へ送信する送信処理と
をコンピュータに実行させることを特徴とする携帯電話端末の端末通信プログラム。
【請求項１９】
上記無線タグ通信処理は、
周辺に存在する無線タグに対して上記ＩＤの発信を要求するＩＤ発信要求を定期的に送信し、送信した上記ＩＤ発信要求に対する応答として上記ＩＤを受信する処理をコンピュータに実行させることを特徴とする請求項１８に記載の携帯電話端末の端末通信プログラム。
【請求項２０】
携帯電話端末と無線通信を行う無線タグのタグ通信プログラムにおいて、
ＩＤ記憶部が、自無線タグを一意に識別するためのＩＤ（Ｉｄｅｎｔｉｆｉｃａｔｉｏｎ  Ｄａｔａ）を記憶するＩＤ記憶処理と、
タグ発信部が、上記ＩＤ記憶処理により記憶された上記ＩＤを無線通信により上記携帯電話端末に発信するタグ発信処理と、
無線タグの処理装置が、緊急スイッチが緊急時にオンに操作されたと判断する緊急スイッチ処理とをコンピュータに実行させることを特徴とする無線タグのタグ通信プログラムであって、
上記タグ発信処理は、
上記緊急スイッチ処理により上記緊急スイッチがオンに操作されたと判断された場合に、上記ＩＤに緊急時であることを示す緊急情報を付与して上記ＩＤを発信し続ける処理をコンピュータに実行させることを特徴とする無線タグのタグ通信プログラム。
【請求項２１】
上記無線タグのタグ通信プログラムは、さらに、
タグ受信部が、上記携帯電話端末により送信される上記ＩＤの発信を要求するＩＤ発信要求を受信するタグ受信処理をコンピュータに実行させ、
上記タグ発信処理は、
上記タグ受信処理により上記ＩＤ発信要求を受信した場合に、上記ＩＤ発信要求に対する応答として上記ＩＤを発信することをコンピュータに実行させることを特徴とする請求項２０に記載の無線タグのタグ通信プログラム。
【請求項２２】
無線通信を行う無線タグと、無線通信を行うとともに通信網を介して通信を行う携帯電話端末と、上記通信網を介して上記携帯電話端末と通信するとともに上記無線タグを付与された管理対象の状況を示す状況情報を生成して管理端末に出力する管理装置とを有する管理システムの管理方法であって、
上記無線タグのＩＤ記憶部が、自無線タグを一意に識別するためのＩＤ（Ｉｄｅｎｔｉｆｉｃａｔｉｏｎ  Ｄａｔａ）を記憶するＩＤ記憶ステップと、
上記無線タグのタグ発信部が、上記ＩＤ記憶ステップにより記憶された上記ＩＤを無線通信により上記携帯電話端末に発信するタグ発信ステップと、
上記携帯電話端末の無線タグ通信部が、上記無線タグから上記ＩＤを無線通信により受信する無線タグ通信ステップと、
上記携帯電話端末の位置情報取得部が、自携帯電話端末の位置情報を取得する位置情報取得ステップと、
上記携帯電話端末のＩＤ伝送処理部が、上記無線タグ通信ステップにより上記ＩＤを受信した場合に、受信した上記ＩＤと上記ＩＤを受信した時刻を示す受信時刻情報と上記位置情報取得ステップにより取得した上記自携帯電話端末の位置情報を含む受信端末位置情報と自携帯電話端末を特定する情報である受信携帯端末情報とを含むＩＤ情報を生成するＩＤ伝送ステップと、
上記携帯電話端末の送信部が、上記ＩＤ伝送ステップにより生成した上記ＩＤ情報を、上記通信網を介して上記管理装置へ送信する送信ステップと、
上記管理装置のＩＤ蓄積部が、上記携帯電話端末より上記ＩＤ情報を通信網を介して受信して、受信した上記ＩＤ情報を記憶装置に蓄積してＩＤ情報データベースとして記憶するＩＤ蓄積ステップと、
上記管理装置のＩＤ管理部が、上記ＩＤ蓄積ステップにより記憶された上記ＩＤ情報データベースに基づいて、上記ＩＤ情報に含まれる上記受信携帯端末情報を含む上記状況情報を生成して上記管理端末へ出力するＩＤ管理ステップと
を備えることを特徴とする管理システムの管理方法。
【発明の詳細な説明】
【技術分野】
【０００１】
本発明は、無線タグを携行させた管理対象者の情報を周辺に存在する携帯電話端末を用いて管理することのできる管理システムにおいて、携帯電話端末及び無線タグ及び携帯電話端末の端末通信プログラム及び無線タグのタグ通信プログラム及び管理システムの管理プログラム及び管理システムの管理方法に関する。
【背景技術】
【０００２】
近年、子どもの誘拐や連れ去り等の犯罪が多発しており、子どもなどの管理対象者の位置情報や行動履歴等を親などの管理者が把握し確認することのできる管理システムの需要が高まっている。従来技術では、図１０（ａ）に示すように、子どもなどの管理対象者の居場所を確認するために、管理対象者に携帯電話を携行させ、携行させた携帯電話の有するＧＰＳ（Ｇｌｏｂａｌ  Ｐｏｓｉｔｉｏｎｉｎｇ  Ｓｙｓｔｅｍ）機能や、携行させた携帯電話と携帯電話基地局との通信により位置を特定する機能により、遠隔地にいる親等の管理者が管理対象者の居場所を確認する方法がある（非特許文献１）。
【０００３】
また、携帯電話の代わりにＩＣ（Ｉｎｔｅｇｒａｔｅｄ  Ｃｉｒｃｕｉｔ）タグを管理対象者に携行させて管理対象者を管理する方法も存在する。図１０（ｂ）に示すように、ＩＣタグを管理対象者に携行させる方法の場合、学校の出入り口、通学路上の自動販売機、塾等の屋内といった管理対象者の行動範囲内に、ＩＣタグ読み取り機を設置し、そのＩＤタグ読み取り機からの情報に基づいて管理者は管理対象者の居場所を確認する（特許文献１）。
【０００４】
また、従来では、管理対象者に携行させる発信装置として、救助信号発信装置（救助信号発信機能を持つ携帯電話、警報ブザーなどを含む）としての機能を有するものがある。従来の救助信号発信装置は、緊急時の操作性を簡単にする目的で、管理対象者がヒモやプラグを引き抜くことにより救助信号（警報）を発信する（救助信号ＯＮにする）。
【０００５】
この方式の場合、管理対象者が誤ってヒモを引き抜いてしまったりプラグを抜いてしまったりして誤動作させるケースが多く、救助信号の信頼性を低下させることになり、対応が遅れる可能性がある。また、従来の救助信号発信装置では、誤報・誤動作に対応するため、プラグを戻すことで救助信号が止まる仕組みになっているが、利用者の意図に反し、第三者が救助信号を止めることを許すことにもなり、救助信号を検知した援助を行う者が、誤報であると誤認してしまう恐れがある。さらに、従来の救助信号発信装置は、誰でも救助信号を発信することができるため、救助信号発信装置を入手した第三者がいたずら等で救助信号を発信することを許してしまう。以上のような誤報・誤動作により、救助信号の信憑性を低下させ、本当に援助が必要な際の妨げとなる。
【非特許文献１】「ココセコム（登録商標）位置情報・現場急行サービス」ＵＲＬ：ｈｔｔｐ：／／ｗｗｗ．８５５７５６．ｃｏｍ／（セコム株式会社）
【特許文献１】特開２００６−２９３５１９号公報
【特許文献２】特開２００６−２０３９０２
【特許文献３】特開２００６−２０３５４５
【発明の開示】
【発明が解決しようとする課題】
【０００６】
上述したような従来の管理方法では、以下のような課題がある。
（１）携帯電話を携行させる方式では、携帯電話の端末本体の費用、あるいは携帯電話の通信によるランニングコストの費用が発生し、広く普及させることが難しい。また、例えば、管理対象者が連れ去り等の犯罪に巻き込まれた場合には、携帯電話は目立つため犯人によって携帯電話を管理対象者から離されてしまうというリスクが高い。
（２）ＩＣタグを携行させる方式の場合は、ＩＣタグのコストは安く小型のため身につけやすいが、管理対象者の行動範囲にあらかじめＩＣタグの受信網を設置する必要がある。このため、コスト的に広範囲に整備することが困難であり、管理対象者が連れ去り等の犯罪により遠距離に連れ去られた場合には、位置情報の把握・確認が困難となる。
【０００７】
この発明は、例えば、上記のような課題を解決することを主な目的としており、管理対象者に携行させる装置を小型で安価にし、かつ広い範囲で効用が得られる安否確認システムを構築することで、広く一般に普及させ、安否確認の可用性を高めることを主な目的とする。また、管理対象者に携行させる装置に関して、誤報・誤動作を防止し、救助信号の信憑性を向上させることを目的とする。
【課題を解決するための手段】
【０００８】
本発明に係る管理システムは、
無線通信を行う無線タグと、無線通信を行うとともに通信網を介して通信を行う携帯電話端末と、上記通信網を介して上記携帯電話端末と通信するとともに上記無線タグを付与された管理対象の状況を示す状況情報を生成して管理端末に出力する管理装置とを有する管理システムであって、
上記無線タグは、
自無線タグを一意に識別するためのＩＤ（Ｉｄｅｎｔｉｆｉｃａｔｉｏｎ  Ｄａｔａ）を記憶するＩＤ記憶部と、
上記ＩＤ記憶部に記憶された上記ＩＤを無線通信により上記携帯電話端末に発信するタグ発信部とを備え、
上記携帯電話端末は、
上記無線タグから上記ＩＤを無線通信により受信する無線タグ通信部と、
自携帯電話端末の位置情報を取得する位置情報取得部と、
上記無線タグ通信部が上記ＩＤを受信した場合に、受信した上記ＩＤと上記ＩＤを受信した時刻を示す受信時刻情報と上記位置情報取得部により取得した上記自携帯電話端末の位置情報を含む受信端末位置情報と自携帯電話端末を特定する情報である受信携帯端末情報とを含むＩＤ情報を生成するＩＤ伝送処理部と、
上記ＩＤ伝送処理部が生成した上記ＩＤ情報を、上記通信網を介して上記管理装置へ送信する送信部とを備え、
上記管理装置は、
上記携帯電話端末より上記ＩＤ情報を通信網を介して受信して、受信した上記ＩＤ情報を記憶装置に蓄積してＩＤ情報データベースとして記憶するＩＤ蓄積部と、
上記ＩＤ蓄積部が記憶する上記ＩＤ情報データベースに基づいて、上記ＩＤ情報に含まれる上記受信携帯端末情報を含む上記状況情報を生成して上記管理端末へ出力するＩＤ管理部と
を備えることを特徴とする。
【０００９】
上記ＩＤ管理部は、さらに、
上記ＩＤ情報に含まれる上記受信時刻情報と上記受信端末位置情報とに基づいて、上記管理対象の位置の履歴を示す位置履歴情報を上記状況情報に含めることを特徴とする。
【００１０】
上記携帯電話端末は、不特定多数の所有者により所持されることを特徴とする。
【００１１】
上記無線タグは、さらに、
緊急時にオンに操作される緊急スイッチを備え、
上記タグ発信部は、
上記緊急スイッチがオンに操作された場合に、上記ＩＤに緊急時であることを示す緊急情報を付与して上記ＩＤを発信し続けることを特徴とする。
【００１２】
上記ＩＤ伝送処理部は、さらに、
受信した上記ＩＤに上記緊急情報が付与されているか否かを処理装置により判断して、上記緊急情報が付与されている場合には、上記ＩＤ情報に緊急時であることを示す緊急ステータスを含めることを特徴とする。
【００１３】
上記管理装置は、さらに、
緊急を知らせる緊急通知を上記管理端末に出力する緊急処理部を備え、
上記ＩＤ蓄積部は、さらに、
受信した上記ＩＤ情報に上記緊急ステータスが付与されているか否かを処理装置により判断して、上記緊急ステータスが付与されている場合には、上記緊急ステータスが付与されている上記ＩＤ情報を上記緊急処理部に出力し、
上記緊急処理部は、
上記ＩＤ蓄積部より上記緊急ステータスが付与されている上記ＩＤ情報を入力した場合に、上記緊急通知を上記管理端末に出力することを特徴とする。
【００１４】
本発明に係る携帯電話端末は、
無線タグと無線通信を行うとともに、通信網を介して所定の送信先と通信を行う携帯電話端末であって、
上記無線タグから上記無線タグを一意に識別するためのＩＤ（Ｉｄｅｎｔｉｆｉｃａｔｉｏｎ  Ｄａｔａ）を無線通信により受信する無線タグ通信部と、
自携帯電話端末の位置情報を取得する位置情報取得部と、
上記無線タグ通信部が上記ＩＤを受信した場合に、受信した上記ＩＤと上記ＩＤを受信した時刻を示す受信時刻情報と上記位置情報取得部により取得した上記自携帯電話端末の位置情報を含む受信端末位置情報と自携帯電話端末を特定する情報である受信携帯端末情報とを含むＩＤ情報を生成するＩＤ伝送処理部と、
上記ＩＤ伝送処理部が生成した上記ＩＤ情報を、上記通信網を介して上記所定の送信先へ送信する送信部と
を備えたことを特徴とする。
【００１５】
上記無線タグ通信部は、
周辺に存在する無線タグに対して上記ＩＤの発信を要求するＩＤ発信要求を定期的に送信し、送信した上記ＩＤ発信要求に対する応答として上記ＩＤを受信することを特徴とする。
【００１６】
本発明に係る無線タグは、
携帯電話端末と無線通信を行う無線タグであって、
自無線タグを一意に識別するためのＩＤを記憶するＩＤ記憶部と、
上記ＩＤ記憶部に記憶された上記ＩＤを無線通信により上記携帯電話端末に発信するタグ発信部と、
緊急時にオンに操作される緊急スイッチとを備え、
上記タグ発信部は、
上記緊急スイッチがオンに操作された場合に、上記ＩＤに緊急時であることを示す緊急情報を付与して上記ＩＤを発信し続けることを特徴とする。
【００１７】
上記無線タグは、さらに、
上記携帯電話端末により送信される上記ＩＤの発信を要求するＩＤ発信要求を受信するタグ受信部を備え、
上記タグ発信部は、
上記タグ受信部が上記ＩＤ発信要求を受信した場合に、上記ＩＤ発信要求に対する応答として上記ＩＤを発信することを特徴とする。
【００１８】
上記緊急スイッチは、
上記無線タグに設けられた差込穴部と、上記差込穴部に差し込まれる緊急プラグとから構成され、上記緊急プラグが上記差込穴部に差し込まれることにより、オンに操作されることを特徴とする。
【００１９】
上記緊急プラグは、
上記差込穴部に挿入されるプラグ差込部と、上記プラグ差込部が上記差込穴部に挿入された場合でも上記差込穴部の外部に露出するように上記プラグ差込部と連結されて設けられたプラグ頭部とを有し、
上記緊急スイッチは、
オンに操作された後に、上記プラグ差込部と上記プラグ頭部とが切断されることにより、オンからオフに戻すことができなくなる
ことを特徴とする。
【００２０】
本発明に係る管理システムの管理プログラムは、
無線通信を行う無線タグと、無線通信を行うとともに通信網を介して通信を行う携帯電話端末と、上記通信網を介して上記携帯電話端末と通信するとともに上記無線タグを付与された管理対象の状況を示す状況情報を生成して管理端末に出力する管理装置とを有する管理システムの管理プログラムであって、
上記無線タグのＩＤ記憶部が、自無線タグを一意に識別するためのＩＤ（Ｉｄｅｎｔｉｆｉｃａｔｉｏｎ  Ｄａｔａ）を記憶するＩＤ記憶処理と、
上記無線タグのタグ発信部が、上記ＩＤ記憶処理により記憶された上記ＩＤを無線通信により上記携帯電話端末に発信するタグ発信処理と、
上記携帯電話端末の無線タグ通信部が、上記無線タグから上記ＩＤを無線通信により受信する無線タグ通信処理と、
上記携帯電話端末の位置情報取得部が、自携帯電話端末の位置情報を取得する位置情報取得処理と、
上記携帯電話端末のＩＤ伝送処理部が、上記無線タグ通信処理により上記ＩＤを受信した場合に、受信した上記ＩＤと上記ＩＤを受信した時刻を示す受信時刻情報と上記位置情報取得処理により取得した上記自携帯電話端末の位置情報を含む受信端末位置情報と自携帯電話端末を特定する情報である受信携帯端末情報とを含むＩＤ情報を生成するＩＤ伝送処理と、
上記携帯電話端末の送信部が、上記ＩＤ伝送処理により生成した上記ＩＤ情報を、上記通信網を介して上記管理装置へ送信する送信処理と、
上記管理装置のＩＤ蓄積部が、上記携帯電話端末より上記ＩＤ情報を通信網を介して受信して、受信した上記ＩＤ情報を記憶装置に蓄積してＩＤ情報データベースとして記憶するＩＤ蓄積処理と、
上記管理装置のＩＤ管理部が、上記ＩＤ蓄積処理により記憶された上記ＩＤ情報データベースに基づいて、上記ＩＤ情報に含まれる上記受信携帯端末情報を含む上記状況情報を生成して上記管理端末へ出力するＩＤ管理処理と
をコンピュータに実行させることを特徴とする。
【００２１】
上記ＩＤ管理処理は、さらに、
上記ＩＤ情報に含まれる上記受信時刻情報と上記受信端末位置情報とに基づいて、上記管理対象の位置の履歴を示す位置履歴情報を上記状況情報に含めることを特徴とする。
【００２２】
上記管理システムの管理プログラムは、さらに、
上記無線タグの処理装置が、緊急スイッチが緊急時にオンに操作されたと判断する緊急スイッチ処理をコンピュータに実行させ、
上記タグ発信処理は、
上記緊急スイッチ処理により上記緊急スイッチがオンに操作されたと判断された場合に、上記ＩＤに緊急時であることを示す緊急情報を付与して上記ＩＤを発信し続けることを特徴とする。
【００２３】
上記ＩＤ伝送処理は、さらに、
受信した上記ＩＤに上記緊急情報が付与されているか否かを処理装置により判断して、上記緊急情報が付与されている場合には、上記ＩＤ情報に緊急時であることを示す緊急ステータスを含めることを特徴とする。
【００２４】
上記管理システムの管理プログラムは、さらに、
上記管理装置の緊急処理部が、緊急を知らせる緊急通知を上記管理端末に出力する緊急処理をコンピュータに実行させ、
上記ＩＤ蓄積処理は、さらに、
受信した上記ＩＤ情報に上記緊急ステータスが付与されているか否かを処理装置により判断して、上記緊急ステータスが付与されている場合には、上記緊急ステータスが付与されている上記ＩＤ情報を上記緊急処理に出力し、
上記緊急処理は、
上記ＩＤ蓄積処理より上記緊急ステータスが付与されている上記ＩＤ情報を入力した場合に、上記緊急通知を上記管理端末に出力することを特徴とする。
【００２５】
本発明に係る携帯電話端末の端末通信プログラムは、
無線タグと無線通信を行うとともに、通信網を介して所定の送信先と通信を行う携帯電話端末の端末通信プログラムであって、
無線タグ通信部が、上記無線タグから上記無線タグを一意に識別するためのＩＤ（Ｉｄｅｎｔｉｆｉｃａｔｉｏｎ  Ｄａｔａ）を無線通信により受信する無線タグ通信処理と、
位置情報取得部が、自携帯電話端末の位置情報を取得する位置情報取得処理と、
ＩＤ伝送処理部が、上記無線タグ通信処理により上記ＩＤを受信した場合に、受信した上記ＩＤと上記ＩＤを受信した時刻を示す受信時刻情報と上記位置情報取得処理により取得した上記自携帯電話端末の位置情報を含む受信端末位置情報と自携帯電話端末を特定する情報である受信携帯端末情報とを含むＩＤ情報を生成するＩＤ伝送処理と、
送信部が、上記ＩＤ伝送処理により生成された上記ＩＤ情報を、上記通信網を介して上記所定の送信先へ送信する送信処理と
をコンピュータに実行させることを特徴とする。
【００２６】
上記無線タグ通信処理は、
周辺に存在する無線タグに対して上記ＩＤの発信を要求するＩＤ発信要求を定期的に送信し、送信した上記ＩＤ発信要求に対する応答として上記ＩＤを受信する処理をコンピュータに実行させることを特徴とする。
【００２７】
本発明に係る無線タグのタグ通信プログラムは、
携帯電話端末と無線通信を行う無線タグのタグ通信プログラムにおいて、
ＩＤ記憶部が、自無線タグを一意に識別するためのＩＤ（Ｉｄｅｎｔｉｆｉｃａｔｉｏｎ  Ｄａｔａ）を記憶するＩＤ記憶処理と、
タグ発信部が、上記ＩＤ記憶処理により記憶された上記ＩＤを無線通信により上記携帯電話端末に発信するタグ発信処理と、
無線タグの処理装置が、緊急スイッチが緊急時にオンに操作されたと判断する緊急スイッチ処理とをコンピュータに実行させることを特徴とする無線タグのタグ通信プログラムであって、
上記タグ発信処理は、
上記緊急スイッチ処理により上記緊急スイッチがオンに操作されたと判断された場合に、上記ＩＤに緊急時であることを示す緊急情報を付与して上記ＩＤを発信し続けることを特徴とする。
【００２８】
上記無線タグのタグ通信プログラムは、さらに、
タグ受信部が、上記携帯電話端末により送信される上記ＩＤの発信を要求するＩＤ発信要求を受信するタグ受信処理をコンピュータに実行させ、
上記タグ発信処理は、
上記タグ受信処理により上記ＩＤ発信要求を受信した場合に、上記ＩＤ発信要求に対する応答として上記ＩＤを発信することをコンピュータに実行させることを特徴とする。
【００２９】
本発明に係る管理システムの管理方法は、
無線通信を行う無線タグと、無線通信を行うとともに通信網を介して通信を行う携帯電話端末と、上記通信網を介して上記携帯電話端末と通信するとともに上記無線タグを付与された管理対象の状況を示す状況情報を生成して管理端末に出力する管理装置とを有する管理システムの管理方法であって、
上記無線タグのＩＤ記憶部が、自無線タグを一意に識別するためのＩＤ（Ｉｄｅｎｔｉｆｉｃａｔｉｏｎ  Ｄａｔａ）を記憶するＩＤ記憶ステップと、
上記無線タグのタグ発信部が、上記ＩＤ記憶ステップにより記憶された上記ＩＤを無線通信により上記携帯電話端末に発信するタグ発信ステップと、
上記携帯電話端末の無線タグ通信部が、上記無線タグから上記ＩＤを無線通信により受信する無線タグ通信ステップと、
上記携帯電話端末の位置情報取得部が、自携帯電話端末の位置情報を取得する位置情報取得ステップと、
上記携帯電話端末のＩＤ伝送処理部が、上記無線タグ通信ステップにより上記ＩＤを受信した場合に、受信した上記ＩＤと上記ＩＤを受信した時刻を示す受信時刻情報と上記位置情報取得ステップにより取得した上記自携帯電話端末の位置情報を含む受信端末位置情報と自携帯電話端末を特定する情報である受信携帯端末情報とを含むＩＤ情報を生成するＩＤ伝送ステップと、
上記携帯電話端末の送信部が、上記ＩＤ伝送ステップにより生成した上記ＩＤ情報を、上記通信網を介して上記管理装置へ送信する送信ステップと、
上記管理装置のＩＤ蓄積部が、上記携帯電話端末より上記ＩＤ情報を通信網を介して受信して、受信した上記ＩＤ情報を記憶装置に蓄積してＩＤ情報データベースとして記憶するＩＤ蓄積ステップと、
上記管理装置のＩＤ管理部が、上記ＩＤ蓄積ステップにより記憶された上記ＩＤ情報データベースに基づいて、上記ＩＤ情報に含まれる上記受信携帯端末情報を含む上記状況情報を生成して上記管理端末へ出力するＩＤ管理ステップと
を備えることを特徴とする。
【発明の効果】
【００３０】
本発明に係る管理システムは、無線通信を行う対象を限定しない不特定の無線タグと、無線通信を行うとともに通信網を介して通信を行う不特定多数の所有者により所持される携帯電話端末と、上記通信網を介して上記携帯電話端末と通信するとともに上記無線タグを付与された管理対象の状況を示す状況情報を管理端末に出力する管理装置とを有する管理システムであって、
上記無線タグのＩＤ記憶部が自無線タグを一意に識別するためのＩＤ（Ｉｄｅｎｔｉｆｉｃａｔｉｏｎ  Ｄａｔａ）を記憶し、上記無線タグのタグ発信部が上記ＩＤ記憶部に記憶された上記ＩＤを無線通信により上記携帯電話端末に発信し、
上記携帯電話端末の無線タグ通信部が上記無線タグから上記ＩＤを無線通信により受信し、上記携帯電話端末の位置情報取得部が自携帯電話端末の位置情報を取得し、上記携帯電話端末のＩＤ伝送処理部が上記無線タグ通信部が上記ＩＤを受信した場合に、受信した上記ＩＤと上記ＩＤを受信した時刻を示す受信時刻情報と上記位置情報取得部により取得した上記自携帯電話端末の位置情報を含む受信端末位置情報と自携帯電話端末を特定する情報である受信携帯端末情報とを含むＩＤ情報を生成し、上記携帯電話端末の送信部が上記ＩＤ伝送処理部が生成した上記ＩＤ情報を、上記通信網を介して上記管理装置へ送信し、
上記管理装置のＩＤ蓄積部が上記携帯電話端末より上記ＩＤ情報を通信網を介して受信して、受信した上記ＩＤ情報を記憶装置に蓄積してＩＤ情報データベースとして記憶し、上記管理装置のＩＤ管理部が上記ＩＤ蓄積部が記憶する上記ＩＤ情報データベースに基づいて、上記ＩＤ情報に含まれる上記受信携帯端末情報を含む上記状況情報を生成して上記管理端末へ出力するので、管理対象に付与する装置を小型で安価な無線タグとすることができ、かつ、携帯電話端末が存在する場所であれば無線タグのＩＤ情報を取得することができるので広い範囲で効用が得られる安否確認システムを構築することが可能となり、さらに、無線タグの状況について無線タグのＩＤを受信した携帯電話端末の情報である受信携帯端末情報を取得することができるので安否確認の確実性を高めることができる。
【発明を実施するための最良の形態】
【００３１】
実施の形態１．
図１は、実施の形態１に係る安否確認システム８００のシステム構成図である。図１を用いて、実施の形態１に係る安否確認システムの概要について説明する。
【００３２】
本実施の形態の安否確認システム８００は、親などの管理者４１０が、子どもなどの管理対象者１１０（管理対象の一例）に関する位置情報等を管理（把握）して安否確認をすることができるシステムである。安否確認システム８００では、管理対象者１１０に安否タグ１００（無線タグの一例）を携行させる。安否タグ１００は、自己の安否タグ１００を一意に識別するためのタグＩＤ１５０（Ｉｄｅｎｔｉｆｉｅｒ）を発信する機能を有する。安否タグ１００の周辺に存在する安否携帯２００（携帯電話端末の一例）は、安否タグ１００の発信するタグＩＤ１５０を受信して、受信したタグＩＤ１５０と自安否携帯２００の位置情報と上記ＩＤを受信した時刻を示す時刻情報と自安否携帯２００を特定するための受信携帯端末情報とを含むＩＤ情報２５１をＩＤ管理装置３００に送信する。安否携帯２００とは、携帯電話端末のことである。ＩＤ管理装置３００では、ＩＤ情報２５１を受信してＩＤ情報データベースに蓄積し、安否タグ１００を携行する管理対象者１１０の位置情報等を管理する。
【００３３】
管理対象者１１０は、安否確認システム８００の安否確認（管理）の対象となる子ども等である。管理対象者１１０は、安否タグ１００（無線タグの一例）を携行して行動（移動）する。
【００３４】
安否タグ１００は、無線通信を行うＩＣタグであり、無線タグの一例である。安否タグ１００は、電波や電磁波を用いた無線通信により安否携帯２００（読み取り機能付）と交信する。このような無線タグは、近年ではアンテナ側からの非接触電力伝送技術により、電池を持たない半永久的に利用可能なタグも登場しており、通信距離は数ｍｍ程度のものから数ｍのものがある。しかし、本実施の形態の安否タグ１００では、電池を備え、通信距離が数メートルから数十メートルのものを想定している。これは、安否確認システム８００では、安否タグ１００を所持する管理対象者１１０の安否確認を行うことが目的であるという性格上、比較的通信距離が長く電波の強い無線タグが望まれるからである。また、安否タグ１００の形状はラベル型、カード型、コイン型、スティック型など様々であり、用途に応じて選択することができる。ただし、安否タグ１００は、小型で目立たないものとすることが好ましい。例えば、管理対象者１１０が連れ去りや誘拐等に遭遇した場合でも、犯人に容易に見つけられないようなものがよい。安否タグ１００は、周辺の安否携帯２００と無線通信を用いて交信することにより、後述する安否携帯２００よりＩＤ発信要求２５０を受信し、ＩＤ発信要求２５０に対する応答として自己のタグＩＤ１５０を発信する。
【００３５】
安否携帯２００は、通常使用されている携帯電話に安否タグ１００の電波の読み取り機能を備えたものである。安否携帯２００は、携帯電話端末の一例である。安否携帯２００は、例えば、ＰＨＳ（登録商標）（Ｐｅｒｓｏｎａｌ  Ｈａｎｄｙｐｈｏｎｅ  Ｓｙｓｔｅｍ）、ＰＤＡ（登録商標）（Ｐｅｒｓｏｎａｌ  Ｄｉｇｉｔａｌ  Ａｓｓｉｓｔａｎｔｓ（登録商標））等の携帯端末装置でも構わない。
【００３６】
安否携帯２００は、屋内、屋外、乗り物内に関わらず、不特定多数の人が所持する携帯電話端末である。安否携帯２００は、定期的に近傍（周辺）に存在する安否タグ１００に対して、安否タグ１００のタグＩＤ１５０を発信させるためのＩＤ発信要求２５０を行う。安否携帯２００は、不特定多数の相手に向かって発信するブロードキャスト通信によりＩＤ発信要求２５０を発信する。安否携帯２００は、ＩＤ発信要求２５０に対する応答として安否タグ１００から発信されたタグＩＤ１５０を受信する。
【００３７】
通常、携帯電話は、自己の位置情報を携帯電話基地局に登録する位置登録処理を行っている。また、通常、携帯電話の“基地局”とは、移動体との通信設備（アンテナ設備）を意味する。本実施の形態では、携帯電話基地局とは、通常の携帯電話の“基地局”（すなわち、移動体との通信設備（アンテナ設備等））と、交換局と、ホームメモリ局等とを含む移動体通信設備全体を意味するものとする。位置登録処理とは、携帯電話があらかじめ携帯電話基地局の交換局に知らせる処理である。実際には、着信制御チャネルに、着信情報のほかに、この携帯電話基地局がどこにあるのかを示す情報が流れる。携帯電話は、着信制御チャネルによる情報により、自己がどの携帯電話基地局の基地局エリアに位置するのかを知ることができる。
【００３８】
安否携帯２００は、例えば、位置登録処理の際に、受信したタグＩＤ１５０と携帯電話基地局５１０から取得した自己の位置情報（受信端末位置情報）とタグＩＤ１５０を受信した時刻を示す受信時刻情報と自己の安否携帯２００（自携帯電話端末）を特定する情報である受信携帯端末情報とを含むＩＤ情報２５１を、携帯電話基地局５１０及び通信網５００を介してＩＤ管理装置３００へ送信する。また、複数の携帯電話基地局からの位置情報に基づいて、自己の安否携帯２００の位置情報を絞り込んだ情報を自安否携帯２００の位置情報としてもよい。あるいは、安否携帯２００がＧＰＳ（Ｇｌｏｂａｌ  Ｐｏｓｉｔｉｏｎｉｎｇ  Ｓｙｓｔｅｍ）機能を有する場合には、受信したタグＩＤ１５０とＧＰＳ機能により取得した自己の位置情報とを含むＩＤ情報２５１を、携帯電話基地局５１０及び通信網５００を介してＩＤ管理装置３００へ送信してもよい。
【００３９】
本実施の形態に係る安否確認システム８００では、安否携帯２００は通常の携帯電話の通信と同様に携帯電話基地局５１０を介してＩＤ情報２５１を送信する。このとき、携帯電話基地局５１０では、ＩＤ情報２５１を受信すると、自己の携帯電話基地局５１０を特定する情報（受信基地局情報）を付与する。
【００４０】
あるいは、携帯電話基地局５１０では、安否確認システム８００によるＩＤ情報２５１を受信した場合でも、ＩＤ情報２５１に対する特別の処理（例えば、受信基地局情報を付与する処理）は行わずに通常の携帯電話の通信処理と同様の処理を行い、受信したＩＤ情報２５１を通信網５００に送信するとしてもよい。すなわち、携帯電話基地局５１０は、安否確認システム８００に対応する特別な処理を行うことなく、通常の携帯電話の通信処理のみを行うとしてもよい。このようにすることで、携帯電話のネットワークに安否確認システム８００を導入した場合でも、携帯電話基地局５１０に何ら変更を加える必要がなく、安否確認システム８００の導入が低コストで容易に行うことができる。
【００４１】
ＩＤ管理装置３００は、通信網５００に接続されている。ＩＤ管理装置３００は、安否携帯２００から送信されたＩＤ情報２５１を受信して登録する。あるいは、いずれかの携帯電話基地局５１０に設置されていても良い。また、ＩＤ管理装置３００は、安否タグ１００を付与された管理対象者１１０（管理対象の一例）の状況を示す状況情報を管理端末に出力する。例えば、ＩＤ管理装置３００は、管理対象者１１０の位置の履歴を示す位置履歴情報を状況情報として管理端末４００に出力する。また、例えば、ＩＤ管理装置３００は、管理対象者１１０の位置と当該位置の近傍に存在する安否携帯２００を特定するための受信携帯端末情報とを含む情報を状況情報として管理端末４００に出力する。
【００４２】
ＩＤ管理装置３００は、例えば、インターネット６００等のネットワークを介して管理端末４００と接続されている。管理端末４００は、直接ＩＤ管理装置３００に接続されていても構わない。管理対象者１１０を管理する管理者４１０は、例えば、子ども（管理対象者１００）の親などである。管理者４１０は、管理端末４００から管理対象者１１０の携行する安否タグ１００のタグＩＤの情報を検索することができる。管理端末４００は、例えば、携帯電話、ＰＨＳ（登録商標）、携帯情報端末、ＰＣ（パーソナル・コンピュータ）等である。
【００４３】
このように、本実施の形態に係る安否確認システム８００は、安否携帯２００を所持する不特定多数の人が意識することなく、安否タグ１００を携行する管理対象者１１０の周辺に存在しさえすれば、特別な無線通信読み取り機の設置を必要とせずに安否タグ１００の位置情報を得ることができる。したがって、管理対象者１１０が、子どもの連れ去り等の事件に巻き込まれた場合でも管理者４１０は安否タグ１００の位置情報及び位置情報の履歴を得ることができる。また、安否タグ１００の情報を受信した安否携帯２００を特定する受信携帯端末情報を得ることができるので、管理対象者１１０（子ども）の連れ去り等の犯罪の虞がある場合には、安否タグ１００の位置情報及び位置情報の履歴とともに、直ちに警察等の行政機関によりすべての位置における目撃者候補を特定することができる。この受信携帯端末情報は、犯罪の発生時には非常に有効な情報であると考えられる。また、車で連れ去られた場合でも、周辺の通行人の安否携帯２００から位置情報を得ることができ連れ去り後の足取りを調査することができ、さらに警察等の行政機関により足取りのすべての位置における目撃者候補を特定することができる。
【００４４】
図２は、実施の形態１に係る安否タグ１００及び安否携帯２００の機能ブロック構成を示す図である。図２を用いて、実施の形態１に係る安否タグ１００及び安否携帯２００の機能ブロック構成について説明する。
【００４５】
安否タグ１００は、タグ受信部１０１、タグ発信部１０２、ＩＤ記憶部１０３、メモリ１０５、処理装置１０６を備える。安否タグ１００（無線タグ）は、安否携帯２００（携帯電話端末）と無線通信を行う。
【００４６】
ＩＤ記憶部１０３は、自己（自安否タグ１００）を一意に識別するためのタグＩＤ１５０（ＩＤの一例）を記憶する。ＩＤ記憶部１０３は、メモリ１０５の一部であってもよいし、物理的に別の記憶装置（メモリ）であってもよい。タグＩＤ１５０は、安否タグ１００を一意に識別するものであるので、安否タグ１００を携行する管理対象者１１０を一意に識別することができる。
【００４７】
タグ受信部１０１は、安否携帯２００から送信されるＩＤ発信要求２５０を受信する。ＩＤ発信要求２５０は、安否携帯２００が安否携帯２００の周辺（すなわち、安否携帯２００の無線通信可能範囲）に存在する安否タグ１００に対して、タグＩＤ１５０の発信を要求するために発信するものである。
【００４８】
タグ発信部１０２は、ＩＤ記憶部１０３に記憶されたタグＩＤ１５０を無線通信により発信する。タグ発信部１０２は、タグ受信部１０１がＩＤ発信要求２５０を受信した場合に、ＩＤ発信要求２５０に対する応答としてタグＩＤ１５０を発信する。
【００４９】
安否携帯２００は、安否タグ１００（無線タグ）と無線通信を行う機能を有するとともに、通信網５００を介してＩＤ管理装置３００（所定の送信先）と通信を行う携帯電話端末である。安否携帯２００は、安否タグ通信部２０１、ＩＤ伝送処理部２０２、位置情報取得部２０３、通信部２０４、メモリ２０５、処理装置２０６を備えている。安否携帯２００は、上述した機能ブロックの他にも通常の携帯電話機能を備えているが、ここではその説明は省略する。
【００５０】
安否タグ通信部２０１（無線タグ通信部の一例）は、安否タグ１００から安否タグ１００を一意に識別するためのタグＩＤ１５０を無線通信により受信する。本実施の形態では、安否タグ通信部２０１は、周辺に存在する安否タグ１００（無線タグ）に対してタグＩＤ１５０の発信を要求するＩＤ発信要求２５０を送信する。そして、安否タグ通信部２０１は、送信したＩＤ発信要求２５０に対する応答としてタグＩＤ１５０を受信する。
【００５１】
ＩＤ伝送処理部２０２は、安否タグ通信部２０１がタグＩＤ１５０を受信した場合に、後述する位置情報取得部２０３により取得した自安否携帯２００の位置情報を含む端末位置情報（受信端末位置情報）と受信したタグＩＤ１５０とを含むＩＤ情報２５１を生成する。また、ＩＤ伝送処理部２０２は、ＩＤ情報２５１にタグＩＤ１５０を受信した時刻を示す受信時刻情報（受信日時情報）とタグＩＤ１５０を受信した安否携帯２００を特定する情報である受信携帯端末情報とを含むように生成する。ＩＤ情報２５１の詳細については、後述する。
【００５２】
位置情報取得部２０３は、自己（自安否携帯２００）の位置情報を取得する。位置情報取得部２０３は、例えば、安否携帯２００の位置登録処理の際に、自安否携帯２００が属する基地局エリアの携帯電話基地局５１０から自安否携帯２００の位置情報を取得する。この場合に位置情報取得部２０３が取得する位置情報は、１箇所または複数の携帯電話基地局５１０の位置から導き出される概略の位置情報であり、「緯度、経度」からなる情報である。また、安否携帯２００がＧＰＳ（Ｇｌｏｂａｌ  Ｐｏｓｉｔｉｏｎｉｎｇ  Ｓｙｓｔｅｍ）機能を有する場合には、ＧＰＳ機能により自安否携帯２００の位置情報を取得してもよい。この場合に位置情報取得部２０３が取得する位置情報は、「経度、緯度、高さ」からなる位置情報となる。
【００５３】
通信部２０４（送信部の一例）は、ＩＤ伝送処理部２０２が生成したＩＤ情報２５１を、携帯電話基地局５１０及び通信網５００を介してＩＤ管理装置３００（所定の送信先の一例）へ送信する。
【００５４】
携帯電話基地局５１０では、通信部２０４よりＩＤ情報２５１を受信すると、ＩＤ情報２５１に自己の携帯電話基地局５１０の情報である受信基地局情報を付与する。
【００５５】
あるいは、携帯電話基地局５１０では、通信部２０４よりＩＤ情報２５１を受信した場合でも、ＩＤ情報２５１に対する特別の処理（例えば、受信基地局情報を付与する処理）は行わずに通常の携帯電話の通信処理と同様の処理を行い、受信したＩＤ情報２５１を通信網５００に送信するとしてもよい。このようにすることで、携帯電話のネットワークに安否確認システム８００を導入した場合でも、携帯電話基地局５１０に何ら変更を加える必要がなく、安否確認システム８００の導入が低コストで容易に行うことができる。
【００５６】
図３は、実施の形態１に係るＩＤ管理装置３００の機能ブロック図である。図３を用いて、実施の形態１に係るＩＤ管理装置３００の機能ブロックについて説明する。
【００５７】
ＩＤ管理装置３００は、携帯電話基地局５１０及び通信網５００を介して安否携帯２００（携帯電話端末の一例）と通信するとともに、管理対象者１１０により所持される安否タグ１００（無線タグの一例）の情報を管理する管理装置の一例である。ＩＤ管理装置３００は、ＩＤ情報受信部３０４、ＩＤ蓄積部３０１、ＩＤ検索部３０２、ＩＤ情報データベース３０３、ＩＤ管理テーブル３０６を備えている。
【００５８】
ＩＤ情報受信部３０４は、安否携帯２００から送信されたＩＤ情報２５１を携帯電話基地局５１０及び通信網５００を介して受信する。ＩＤ情報受信部３０４は、受信したＩＤ情報２５１をＩＤ蓄積部３０１に出力する。
【００５９】
ＩＤ蓄積部３０１は、ＩＤ情報受信部３０４が受信したＩＤ情報２５１を入力して、入力したＩＤ情報２５１を記憶装置に蓄積してＩＤ情報データベース３０３として記憶する。ＩＤ情報データベース３０３に蓄積されるＩＤ情報２５１の管理データ項目は、図３に示す通りである。すなわち、ＩＤ情報データベース３０３の管理データ項目は、安否携帯２００が受信した安否タグ１００のタグＩＤ１５０である安否タグＩＤ３０３１、安否携帯２００がタグＩＤ１５０を受信した日時（受信時刻情報の一例）を示す受信日時３０３２、安否携帯２００からＩＤ情報２５１を受信した携帯電話基地局５１０（すなわち、安否携帯２００の基地局エリアの携帯電話基地局）の情報である受信基地局情報３０３３、当該ＩＤ情報２５１を発信した安否携帯２００を特定する情報を示す受信携帯電話情報２０３４（受信携帯端末情報の一例）、当該ＩＤ情報２５１を発信した安否携帯２００の位置情報を示す端末位置情報３０３５（受信端末位置情報）等である。
【００６０】
ここでは、ＩＤ情報受信部３０４が、ＩＤ情報２５１を受信してＩＤ蓄積部３０１に出力し、ＩＤ蓄積部３０１がＩＤ情報２５１を入力してＩＤ情報データベース３０３に蓄積するとした。しかし、ＩＤ蓄積部３０１が、ＩＤ情報受信部３０４の機能も備えるものとしてもよい。すなわち、ＩＤ蓄積部が、安否携帯２００よりＩＤ情報２５１を通信網５００を介して受信して、受信したＩＤ情報２５１を記憶装置に蓄積してＩＤ情報データベース３０３として記憶するとしてもよい。
【００６１】
ＩＤ検索部３０２（ＩＤ管理部の一例）は、ＩＤ蓄積部３０１が記憶するＩＤ情報データベース３０３の情報に基づいて、安否タグ１００を所持する管理対象者１１０を管理する。例えば、ＩＤ検索部３０２は、インターネット６００等を介して接続された管理端末４００からタグＩＤ１５０のタグ検索要求を受信する。ＩＤ検索部３０２は、受信したタグ検索要求に従ってＩＤ情報データベース３０３を処理装置により検索して、受信したタグ検索要求に従った検索結果情報（状況情報の一例）を生成して管理端末４００に出力する。
【００６２】
例えば、ＩＤ検索部３０２は、管理対象者１１０を指定するために管理端末４００より入力されたＩＤを指定ＩＤとして入力する。ＩＤ検索部３０２は、指定ＩＤをキーにしてＩＤ情報データベース３０３を処理装置により検索する。ＩＤ検索部３０２は、指定ＩＤに対応するＩＤ情報を取得し、取得した指定ＩＤに対応するＩＤ情報に基づいて、指定ＩＤに対応するＩＤ情報に含まれる受信携帯電話情報３０３４を含む情報（検索結果情報の一例、状況情報の一例）を生成して管理端末４００へ出力する。
【００６３】
また、例えば、ＩＤ検索部３０２は、処理装置により入力した指定ＩＤに対応するＩＤ情報をＩＤ情報データベース３０３から検索する。ＩＤ検索部３０２は、処理装置による検索の結果、ＩＤ情報（指定ＩＤに対応するＩＤ情報）を取得する。ＩＤ検索部３０２は、取得したＩＤ情報（指定ＩＤに対応するＩＤ情報）に含まれる受信日時３０３２と端末位置情報３０３５とから、指定ＩＤにより指定されたタグＩＤ１５０を所持する管理対象者１１０の位置の履歴を示す位置履歴情報を生成する。ＩＤ検索部３０２は、生成した位置履歴情報（状況情報の一例）を管理端末４００に出力する。あるいは、ＩＤ検索部３０２は、指定ＩＤに対応するＩＤ情報２５１に含まれる受信携帯電話情報３０３４を管理端末４００に出力する。
【００６４】
図４は、実施の形態１に係る安否確認システム８００の管理方法を示すフロー図である。図４を用いて、実施の形態１に係る安否確認システム８００の管理方法について説明する。上述したように、安否確認システム８００は、管理対象者１１０の携行する安否タグ１００と、不特定多数の人により所持されることにより屋内、屋外、乗り物内等に存在する安否携帯２００と、安否タグ１００のタグＩＤ１５０のＩＤ情報２５１を安否携帯２００から受信してＩＤ情報データベース３０３に蓄積して管理するＩＤ管理装置３００とから構成される。
【００６５】
＜安否タグ１００のタグ通信処理（プログラム）＞
＜ＩＤ記憶処理（プログラム）＞
ＩＤ記憶部１０３は、予め自安否タグ１００を一意に識別するための識別子であるタグＩＤ１５０を記憶する。
【００６６】
＜タグ発信処理（プログラム）＞
タグ受信部１０１が、近距離無線通信（無線通信）により周辺に存在する安否携帯２００からＩＤ発信要求２５０を受信する。タグ発信部１０２が、タグ受信部１０１の受信したＩＤ発信要求２５０に対する応答として、ＩＤ記憶部１０３に記憶されているタグＩＤ１５０を発信する（Ｓ１０１）。このとき、タグ発信部１０２は、ＩＤ発信要求２５０に対する応答であることを示す応答ステータスを付与して、タグＩＤ１５０を発信するとしてもよい。
【００６７】
＜安否携帯２００の端末通信処理（プログラム）＞
＜無線タグ通信処理（プログラム）＞
安否タグ通信部２０１は、所定の間隔で定期的に安否タグ１００にタグＩＤ１５０を発信させるためのＩＤ発信要求２５０を近距離無線通信（無線通信）により発信する。安否タグ通信部２０１は、不特定多数の相手に向かって発信するブローキャスト通信によりＩＤ発信要求２５０を発信する（Ｓ２０１）。すなわち、安否タグ通信部２０１は、無線通信可能範囲内に存在する安否タグ１００すべてに対してＩＤ発信要求２５０を行う。所定の間隔とは、安否携帯２００の備えるメモリ２０５に予め記憶されているものとする。
【００６８】
ここで、予めメモリ２０５に記憶されている所定の間隔は、すべての安否携帯２００で同一としてもよい。あるいは、安否携帯２００の所有者が、ＩＤ発信要求２５０を発信する所定の間隔を自由に設定することができるようにしてもよい。あるいは、安否携帯２００の属する基地局エリアの携帯電話基地局５１０が、安否携帯２００の位置登録処理の際に、同一基地局エリア内（同一セル内）に存在する複数の安否携帯２００が順番にＩＤ発信要求２５０を発信するように、同一基地局エリア内（同一セル内）に存在する複数の安否携帯２００を制御するようにしてもよい。こうすることにより、安否携帯２００のＩＤ発信要求２５０の発信が同期して一斉になされてしまい、周辺の携帯電話の通信へ影響を及ぼすことを防止することができる。
【００６９】
安否タグ通信部２０１が、Ｓ２０１で発信したＩＤ発信要求２５０に対する応答として周辺に存在する安否タグ１００から発信されたタグＩＤ１５０を受信する（Ｓ２０２）。安否タグ通信部２０１は、ＩＤ発信要求２５０を発信した後、ＩＤ待ち状態となり、ＩＤ待ち状態中にタグＩＤ１５０を受信した場合には、受信したタグＩＤ１５０をＩＤ発信要求２５０に対する応答であると処理装置２０６により判断しメモリ２０５に記憶する。あるいは、安否タグ通信部２０１は、例えば、受信したタグＩＤ１５０に応答ステータスが付与されているか否かを処理装置２０６により判断して、応答ステータスが付与されている場合には、ＩＤ発信要求２５０に対する応答であると判断して受信したタグＩＤ１５０をメモリ２０５に記憶する。ここで、安否タグ通信部２０１は、タグＩＤ１５０を受信した際に処理装置により受信日時を取得して、当該タグＩＤ１５０とともに取得した受信日時をメモリ２０５に記憶するとしてもよい。
【００７０】
＜位置情報取得処理（プログラム）＞
位置情報取得部２０３が、自安否携帯２００の位置情報を取得する（Ｓ２０３）。位置情報取得部２０３は、取得した位置情報をメモリ２０５に記憶する。
【００７１】
位置情報取得部２０３は、安否携帯２００の位置登録処理の際に、自安否携帯２００が属する基地局エリアの携帯電話基地局５１０から自安否携帯２００の位置情報を取得する。この場合に位置情報取得部２０３が取得する位置情報は、１箇所または複数の携帯電話基地局５１０の位置から導き出される概略の位置情報であり、「緯度、経度」からなる情報である。また、安否携帯２００がＧＰＳ機能を有する携帯電話の場合には、位置情報取得部２０３は、ＧＰＳ機能を用いて自安否携帯２００の位置情報を取得してもよい。位置情報取得部２０３は、ＧＰＳ機能を用いて自安否携帯２００の位置情報を取得した場合には、「経度、緯度、高さ」からなる位置情報を取得する。
【００７２】
＜ＩＤ伝送処理（プログラム）＞
ＩＤ伝送処理部２０２は、安否タグ通信部２０１により受信されメモリ２０５に記憶されたタグＩＤ１５０と、当該タグＩＤ１５０が受信された日時を含む受信日時情報（時刻情報）と、位置情報取得部２０３により取得されメモリ２０５に記憶された自安否携帯２００の位置情報を含む自端末位置情報とからなるＩＤ情報２５１を生成する。ここで、受信日時情報は、安否タグ通信部２０１により当該タグＩＤ１５０とともにメモリ２０５に記憶された受信日時から取得してもよい。あるいは、ＩＤ伝送処理部２０２が、当該タグＩＤを入力した時点に、処理装置により入力日時を取得して受信日時情報としてもよい。
【００７３】
ＩＤ伝送処理部２０２は、自端末位置情報として、位置情報取得部２０３により取得されメモリ２０５に記憶された自安否携帯２００の位置情報（受信端末位置情報）に加えて、自安否携帯２００を特定する情報である受信携帯電話情報等を含む情報を生成する。
【００７４】
また、ＩＤ伝送処理部２０２は、受信したタグＩＤ１５０がＩＤ発信要求２５０に対する応答であることを示す応答ステータスをＩＤ情報２５１に含ませる。あるいは、ＩＤ伝送処理部２０２は、受信したタグＩＤ１５０に応答ステータスが付与されていた場合には、ＩＤ情報２５１に応答ステータスを含ませるとしてもよい。
【００７５】
したがって、ＩＤ伝送処理部２０２が生成するＩＤ情報２５１は、安否タグ通信部２０１により受信されたタグＩＤ１５０である受信タグＩＤ２５１１と、当該タグＩＤ１５０が受信された日時を含む受信日時情報２５１２（受信時刻情報）と、自安否携帯２００の情報である受信携帯電話情報２５１４（受信携帯端末情報）と、位置情報取得部２０３により取得された自安否携帯２００の位置情報である端末位置情報２５１５（受信端末位置情報）と、受信した当該タグＩＤ１５０がＩＤ発信要求２５０に対する応答であることを示すステータス２５１６とから構成される情報である。ＩＤ伝送処理部２０２は、ＩＤ情報２５１を生成して、メモリ２０５に記憶する。
【００７６】
＜送信処理（プログラム）＞
通信部２０４は、ＩＤ伝送処理部２０２が生成してメモリ２０５に記憶したＩＤ情報２５１を、通信装置により携帯電話基地局５１０に送信し、携帯電話基地局５１０はＩＤ情報２５１に受信基地局情報２５１３を付加し、通信網５００を介してＩＤ管理装置３００に送信する。例えば、安否携帯２００が圏外等の携帯電話基地局５１０と通信できない状態である場合は、通信部２０４は、メモリ２０５に記憶されているＩＤ情報２５１の送信を所定の回数リトライし、通信可能となった時点で携帯電話基地局５１０に送信する。
【００７７】
＜ＩＤ管理装置３００の管理処理（管理プログラム）＞
＜ＩＤ情報受信処理（プログラム）＞
ＩＤ管理装置３００のＩＤ情報受信部３０４が、携帯電話基地局５１０及び通信網５００を介して送信されたＩＤ情報２５１を通信装置により受信する（Ｓ３０１）。ＩＤ情報受信部３０４は、受信したＩＤ情報２５１をＩＤ蓄積部３０１に出力する。
【００７８】
＜ＩＤ蓄積処理（プログラム）＞
ＩＤ蓄積部３０１は、ＩＤ情報受信部３０４からＩＤ情報２５１を入力して、入力したＩＤ情報２５１を記憶装置に蓄積してＩＤ情報データベース３０３として記憶する（Ｓ３０２）。
【００７９】
図３に示すように、ＩＤ情報データベース３０３の管理データ項目は、タグＩＤ１５０を示す安否タグＩＤ３０３１、タグＩＤ１５０を受信した日時（時刻情報の一例）を示す受信日時３０３２、安否携帯２００からＩＤ情報２５１を受信した携帯電話基地局５１０の情報である受信基地局情報３０３３、当該ＩＤ情報２５１を発信した安否携帯２００の情報を示す受信携帯電話情報２０３４、当該ＩＤ情報２５１を発信した安否携帯２００の位置情報を示す端末位置情報３０３５を含む情報である。また、ＩＤ情報２５１のステータスを表す情報として、ＩＤステータス３０３６を含む。
【００８０】
ＩＤ蓄積部３０１は、ＩＤ情報２５１に含まれるタグＩＤ１５０である受信タグＩＤ２５１１を安否タグＩＤ３０３１に設定し、ＩＤ情報２５１に含まれる受信日時情報２５１２を受信日時３０３２に設定し、ＩＤ情報２５１に含まれる自端末位置情報のなかの受信基地局情報２５１３を受信基地局情報３０３３に設定し、ＩＤ情報２５１に含まれる自端末位置情報のなかの受信携帯電話情報２５１４を受信携帯電話情報３０３４に設定し、自安否携帯２００の端末位置情報２５１５を端末位置情報３０３５に設定し、ＩＤ情報２５１に含まれるステータス２５１６をＩＤステータス３０３６に設定する。本実施の形態では、ステータス２５１６は応答ステータスである。このように、ＩＤ情報データベース３０３には、受信したＩＤ情報２５１を１レコードとしてＩＤ情報２５１が蓄積される。
【００８１】
＜ＩＤ管理処理（プログラム）＞
ＩＤ検索部３０２は、管理者４１０により管理端末４００へ入力されたＩＤ検索要求を、管理端末４００からインターネット６００を介して受信する。ＩＤ検索部３０２は、受信したＩＤ検索要求にしたがって、処理装置を用いてＩＤ情報データベース３０３を検索する。ＩＤ検索部３０２は、ＩＤ検索要求にしたがって、検索した検索結果より管理者４１０の要求する情報として、ＩＤ検索結果を生成し管理端末４００へインターネット６００等を介して送信する。
【００８２】
ＩＤ検索要求は、管理者４１０が安否確認を行いたい管理対象者１１０のタグＩＤ１５０を管理端末４００に入力して、安否確認を行うことを要求するものである。したがって、ＩＤ検索要求には、少なくとも安否確認の対象となるタグＩＤ１５０が含まれる。
【００８３】
ＩＤ検索要求は、例えば、「タグＩＤ“００１”の１５：００から１７：００までの位置履歴」であるとする。このとき、ＩＤ検索部３０２は、処理装置を用いてＩＤ情報データベース３０３を検索し、安否タグＩＤ３０３１が“００１”であって受信日時３０３２が１５：００から１７：００までのＩＤ情報２５１を取得する。ＩＤ検索部３０２は、取得したＩＤ情報２５１に含まれる安否タグＩＤ３０３１、受信日時３０３２、受信基地局情報３０３３、端末位置情報３０３５等を用いて、「タグＩＤ“００１”の１５：００から１７：００までの位置履歴」を示す情報を生成してＩＤ検索結果として管理端末４００に送信する。このとき、ＩＤ検索部３０２は、「タグＩＤ“００１”の１５：００から１７：００までの位置履歴」の情報を表形式で表示する、あるいは、地図上の位置の履歴として出力する等の、管理者４１０の要求に沿った表示形式で情報を生成することができるようにしてもよい。
【００８４】
以上のように、本実施の形態における安否確認システム８００では、広く普及している携帯電話の端末（安否携帯２００）でＩＣタグ（安否タグ１００）受信網を構築することができる。すなわち、本実施の形態における安否確認システム８００では、安否タグ１００を読み取る安否携帯２００が不特定多数存在し（不特定多数の所有者により所持され）、予め管理対象のタグＩＤ１５０をプリセットする必要がない。また、管理対象者１１０にはＩＣタグ（安否タグ１００）のみを携行させるだけでよく、高価な携帯電話を携行させなくてもよい。
【００８５】
本実施の形態における安否確認システム８００では、ＩＣタグ（安否タグ１００）を携行する管理対象者１１０の位置情報（タグＩＤ１５０）を、近傍の第三者が携行する携帯電話（安否携帯２００）が定期的に受信し、携帯電話（安否携帯２００）の携帯電話基地局５１０を経由して管理者４１０へ伝達することができる。
【００８６】
本実施の形態における安否確認システム８００では、安否タグ１００の通信機能を近距離無線通信とし、自位置を特定するための機能を省略することができるため、機器（安否タグ１００）の小型化を図ることができ、電池による長期稼動が可能となり、安価な機器（安否タグ１００）を提供することができる。また、管理対象者１１０に携行させる機器（安否タグ１００）を小型化することができるので、例えば、管理対象者１１０が誘拐等の犯罪に巻き込まれた場合でも、犯人や不審者に取り上げられにくいなどの効果を奏する。
【００８７】
本実施の形態における安否確認システム８００では、既存の携帯電話網（通信網５００）を有効活用できるため、設備投資が抑えられる。
【００８８】
本実施の形態における安否確認システム８００では、管理対象者１１０が被害にあった場合、行政機関（警察や検察等の当局）は当該管理対象者１１０の安否タグ１００に対応する受信携帯電話情報３０３４を取得することができるので、その近傍にいた人（受信した安否携帯２００を所持していた人）を絞り込むことができ、目撃者情報などの収集が容易になり、犯罪検挙率を高められる。また、管理対象者１１０が交通事故にあってしまった場合などにも、近傍にいた目撃者等を絞り込める。
【００８９】
本実施の形態に係る安否確認システム８００では、安否携帯２００の所有者の知らないうちに、安否携帯２００がＩＤ情報２５１をＩＤ管理装置３００に送信する処理を行っている。このため、安否確認システム８００では、管理対象者１１０の周辺に存在する安否携帯２００が多ければ多いほど安否確認の精度が向上する。そのため、携帯電話の所有者が、より多く安否確認システム８００に加入するようなシステム方式が必要である。安否確認システム８００への加入を促進するためには、例えば、安否確認システム８００に登録（加入）することにより、安否携帯２００の所有者は社会に貢献することができることをアピールすることが考えられる。また、安否携帯２００の所有者には、料金的なメリットが付与されるようにすることが考えられる。例えば、安否携帯２００の加入者には、安否確認機能にかかる通信料はかからないようにし、さらに通常の通信料についても割引があるように設定してもよい。安否携帯２００の所有者に料金的なメリットを与えるための料金は、安否確認システム８００を利用する管理者４１０側から徴収することが好ましい。また、安否携帯２００は数が多ければ多いほど安否確認の精度が向上するので、例えば、安否確認システム８００への加入を行政で推進する等も考えられる。
【００９０】
本実施の形態における安否確認システム８００では、安否携帯２００の所有者は、安否携帯２００としての機能を有効にする「お助けモード」と、安否携帯２００としての機能を無効にする「通常モード」とを選択できるようにしてもよい。
【００９１】
本実施の形態における安否確認システム８００では、ＩＤ情報２５１をＩＤ管理装置３００のＩＤ情報データベース３０３に蓄積するので、管理者４１０が着目したいタグＩＤの情報を過去にさかのぼって履歴として参照することができる。
【００９２】
本実施の形態における安否確認システム８００では、安否携帯２００の所有者が第三者であることが前提であるため、安否携帯２００の所有者は、安否確認システム８００に参加（加入）していること以外は、着目しているタグＩＤや通信のやり取りなどの情報には関与する必要がないため、安否確認システム８００に加入しやすいという効果がある。
【００９３】
また、本実施の形態における安否確認システム８００では、安否携帯２００に重要な情報（例えば、管理対象のタグＩＤ等）を予め記憶させる必要がなく、例えば、安否携帯２００等を紛失した場合でも重要な情報を悪用される虞が低いという効果を奏する。
【００９４】
実施の形態２．
本実施の形態では、安否タグ１００に、緊急時に管理対象者１１０の操作により救助信号を発信する緊急スイッチ機能を備えたものを用いる場合について説明する。また、緊急時に管理対象者１１０が操作する緊急スイッチに、誤報を防止するための仕組みを備える安否タグ１００について説明する。
【００９５】
図５は、実施の形態２に係る安否タグ１００及び安否携帯２００の機能ブロック図である。図５を用いて、実施の形態２に係る安否タグ１００の機能ブロックについて説明する。また、以下の説明では、実施の形態１と同一の機能を有する機能ブロックには同一の符号を付し、その説明を省略する。
【００９６】
図５における安否タグ１００は、図１の安否タグ１００の機能ブロックに加えて、緊急スイッチ１０４を備えている。緊急スイッチ１０４は、緊急時に管理対象者１１０によりオンに操作されるスイッチである。緊急スイッチ１０４は、例えば、管理対象者１１０が連れ去りや誘拐等に巻き込まれた場合などの緊急時に、管理対象者１１０により操作されることでオンの状態となる。管理対象者１１０が緊急スイッチ１０４をオンにする具体的な操作方法については後述する。
【００９７】
タグ発信部１０２は、緊急スイッチ１０４がオンに操作された場合に、ＩＤ記憶部１０３に記憶された自安否タグ１００のタグＩＤ１５０を、緊急時であることを示す緊急時ＩＤ１５１として発信し続ける。ここで、タグ発信部１０２は、タグ受信部１０１がＩＤ発信要求２５０を受信したか否かにかかわらず、タグＩＤ１５０を発信し続ける。つまり、タグ発信部１０２では、ＩＤ発信要求２５０が受信されたか否かにかかわらず発信し続けるタグＩＤ１５０を、緊急時ＩＤ１５１とする。あるいは、タグ発信部１０２は、後述する判断方法により処理装置を用いて緊急時であると判断した場合には、緊急ステータスを付与したタグＩＤ１５０を緊急時ＩＤ１５１として、発信し続けてもよい。タグ発信部１０２が、緊急時を判断する方法については後述する。
【００９８】
安否タグ通信部２０１は、通常は実施の形態１で説明したように、ＩＤ発信要求２５０を発信してその応答として周辺に存在する安否タグ１００からタグＩＤ１５０を受信してメモリ２０５に記憶する処理を行う。本実施の形態では、安否タグ通信部２０１は、ＩＤ発信要求２５０の応答としてではなく発信し続けられているタグＩＤ１５０を受信した場合には、緊急時に発信されたタグＩＤ１５０（すなわち、緊急時ＩＤ１５１）であると処理装置２０６により判断する。つまり、安否タグ通信部２０１は、ＩＤ待ち状態でない場合に、タグＩＤ１５０を受信した場合に、受信したタグＩＤ１５０を緊急時に発信された緊急時ＩＤ１５１であると処理装置２０６により判断する。あるいは、安否タグ通信部２０１は、受信したタグＩＤ１５０に緊急ステータスが付与されているか否かを処理装置２０６により判断して、緊急ステータスが付与されている場合に、受信したタグＩＤ１５０は緊急時ＩＤ１５１であると判断するとしてもよい。安否タグ通信部２０１は、緊急時ＩＤ１５１を受信したと処理装置２０６により判断した場合には、緊急時ＩＤ１５１に緊急ステータスを付与して（すでに緊急ステータスが付与されている場合は、新たに緊急ステータスを付与せずに、緊急ステータスが付与されたままの状態で）、緊急時ＩＤ１５１をＩＤ伝送処理部２０２に出力する。
【００９９】
位置情報取得部２０３の処理は、実施の形態１で説明したものと同様である。
【０１００】
ＩＤ伝送処理部２０２は、緊急時ＩＤ１５１を入力すると、直ちに、ＩＤ情報２５１を生成する。ＩＤ情報生成処理については実施の形態１で説明したものと同様であるが、ＩＤ伝送処理部２０２は、緊急時ＩＤ１５１のＩＤ情報２５１のステータス２５１６には緊急ステータスを付与してＩＤ情報２５１として通信部２０４に出力する。以下では、ステータス２５１６に緊急ステータスが付与されたＩＤ情報２５１を緊急時ＩＤ情報２５２と呼ぶものとする。
【０１０１】
通信部２０４は、緊急時ＩＤ情報２５２を入力すると、直ちに、携帯電話基地局５１０及び通信網５００を介してＩＤ管理装置３００に緊急時ＩＤ情報２５２を送信する。
【０１０２】
図６は、実施の形態２に係るＩＤ管理装置３００の機能ブロック図である。図６を用いて、実施の形態２に係るＩＤ管理装置３００の機能ブロックについて説明する。また、以下の説明では、実施の形態１と同一の機能を有する機能ブロックには同一の符号を付し、その説明を省略する。
【０１０３】
図６に示すように、実施の形態２におけるＩＤ管理装置３００は、実施の形態１のＩＤ管理装置３００（図３参照）に加えて、緊急処理部３０５とＩＤ管理テーブル３０６とを備えている。
【０１０４】
ＩＤ情報受信部３０４は、安否携帯２００から携帯電話基地局５１０及び通信網５００を介してＩＤ情報２５１を受信する。上述したように、緊急時ＩＤ情報２５２は、ＩＤ情報２５１のステータス２５１６に緊急ステータスが付与されているものである。したがって、ＩＤ情報受信部３０４は、ＩＤ情報２５１を受信しただけでは、応答ステータスのＩＤ情報２５１であるか緊急ステータスの緊急時ＩＤ情報２５２であるかは区別せずに処理を行う。ＩＤ情報受信部３０４は、ＩＤ情報２５１を受信すると、実施の形態１と同様の処理を行い、ＩＤ情報２５１をＩＤ蓄積部３０１に出力する。あるいは、ＩＤ情報受信部３０４は、ＩＤ情報２５１（緊急時ＩＤ情報２５２）を受信すると、処理装置によりステータス２５１６を判定して、ステータス２５１６が緊急ステータスの場合は、受信したＩＤ情報２５１を緊急時ＩＤ情報２５２であると判断して、緊急時ＩＤ情報２５２としてＩＤ蓄積部３０１に出力してもよい。
【０１０５】
ＩＤ蓄積部３０１は、ＩＤ情報受信部３０４よりＩＤ情報２５１を入力する。ＩＤ蓄積部３０１は、ＩＤ情報２５１を入力すると、実施の形態１と同様の処理を行い、ＩＤ情報データベース３０３に入力したＩＤ情報２５１を登録する。このとき、ＩＤ蓄積部３０１は、ＩＤ情報２５１が緊急ステータスの場合は、ＩＤステータス３０３６に緊急ステータスを付与する。ＩＤ蓄積部３０１の処理の詳細については後述する。
【０１０６】
ＩＤ管理装置３００は、タグＩＤ１５０と、当該タグＩＤ１５０を所持する管理対象者１１０と、当該管理対象者１１０の保護者である管理者４１０とを対応付けたＩＤ管理テーブル３０６を記憶している。ＩＤ管理テーブル３０６には、タグＩＤ１５０に対応付けて、管理者４１０の管理端末４００のメールアドレスや管理端末４００の電話番号等の緊急連絡先を記憶する。また、ＩＤ管理テーブル３０６には、タグＩＤ１５０に対応付けて、緊急時に管理者４１０に連絡するための緊急連絡方法（メールあるいはＦＡＸあるいは電話番号等）を記憶する。さらに、ＩＤ管理テーブル３０６には、管理者４１０が管理端末４００を介してＩＤ管理装置３００に記憶される、管理者４１０が保護者である当該管理対象者１１０にのみアクセスするのに必要な、管理者４１０を特定するアカウントとパスワードを記憶する。
【０１０７】
ＩＤ蓄積部３０１は、ＩＤ情報受信部３０４から緊急時ＩＤ情報２５２を入力したと判断すると、記憶装置に記憶されているＩＤ管理テーブル３０６を処理装置により参照する。ＩＤ蓄積部３０１は、ＩＤ管理テーブル３０６を処理装置により参照して、緊急時ＩＤ情報２５２に含まれるタグＩＤ１５０に対応する管理者４１０の緊急連絡先と緊急連絡方法とを取得する。ＩＤ蓄積部３０１は、緊急処理部３０５に、入力した緊急時ＩＤ情報２５２と取得した緊急連絡先と緊急連絡方法とを出力する。
【０１０８】
緊急処理部３０５は、ＩＤ蓄積部３０１より緊急時ＩＤ情報２５２を入力した場合に、緊急通知３５０を管理端末４００に出力する。
【０１０９】
緊急処理部３０５は、ＩＤ蓄積部３０１から、緊急時ＩＤ情報２５２と緊急連絡先と緊急連絡方法とを入力すると、タグＩＤ１５０（当該タグＩＤ１５０を所持する管理対象者１１０）が緊急時であることを通知する緊急通知３５０を生成して、取得した緊急連絡方法にしたがって管理端末４００（管理者４１０）に対して緊急通知３５０を通知する。緊急処理部３０５は、例えば、インターネット６００を介して管理者４１０の管理端末４００（携帯電話、ＰＨＳ（登録商標）、携帯情報端末、ＰＣ（パーソナル・コンピュータ）等）に緊急を示す通知（緊急通知３５０）を出力する。
【０１１０】
また、緊急処理部３０５は、ＩＤ蓄積部３０１から緊急時ＩＤ情報２５２と緊急連絡先と緊急連絡方法とを入力すると、ＩＤ管理装置３００に接続されている出力装置４２０（管理端末の一例）に緊急を示す通知（緊急通知３５０）を出力する。出力装置４２０は、表示装置（ディスプレイ）、電話器、ファクシミリ機、スピーカー等の放送設備等の出力機器である。出力装置４２０は、例えば、ＬＡＮ（ローカル・エリア・ネットワーク）等を介してＩＤ管理装置３００に接続されていてもよい。出力装置４２０は、例えば、スピーカー等の放送設備からの警報や音声による通知、電話からの音声による通知、表示装置（ディスプレイ）等に緊急を示す表示を行うことによる通知、あるいはファクシミリ機から緊急を示す表示を出力することによる通知等を出力する。
【０１１１】
また、ＩＤ管理テーブル３０６には、タグＩＤ１５０（当該タグＩＤ１５０を所持する管理対象者１１０）に対応付けて、予め管理対象者１１０の行動範囲を登録範囲情報として登録することができる。例えば、ＩＤ蓄積部３０１がＩＤ情報２５１あるいは緊急時ＩＤ情報２５２を登録する際に、ＩＤ情報２５１あるいは緊急時ＩＤ情報２５２に含まれる端末位置情報２５１５と、ＩＤ管理テーブル３０６に登録されている登録位置情報とを処理装置により比較する。ＩＤ蓄積部３０１は、ＩＤ情報２５１あるいは緊急時ＩＤ情報２５２に含まれる端末位置情報２５１５が、ＩＤ管理テーブル３０６に登録された登録範囲情報外の位置情報である場合には、処理装置により緊急時であると判断する。つまり、管理対象者１１０が所定の地域（例えばＡ市）以内が登録位置情報（行動範囲）であるにもかかわらず、所定の地域以外（例えばＢ市）に移動してしまった場合には、連れ去り等の犯罪に巻き込まれた可能性、あるいは、迷子になってしまった可能性があると考えられるためである。
【０１１２】
この場合、ＩＤ情報受信部３０４にて通常のＩＤ情報２５１であると判断されたＩＤ情報２５１であっても、緊急処理部３０５にてこのＩＤ情報２５１の端末位置情報２５１５が登録範囲情報外であると判断された場合には、ＩＤ蓄積部３０１は、このＩＤ情報２５１を緊急時ＩＤ情報２５２としてＩＤ情報データベース３０３に登録する処理を行うとともに、緊急処理部３０５にＩＤ情報２５１を緊急時ＩＤ情報２５２として出力する。また、ＩＤ管理テーブル３０６に登録された行動範囲と当該タグＩＤ１５０を受信した安否携帯２００の端末位置情報２５１５との比較処理は、ＩＤ蓄積部３０１ではなく、ＩＤ情報受信部３０４で行うとしてもよい。
【０１１３】
図７は、実施の形態２にかかるＩＤ管理装置３００の管理方法を示すフロー図である。図７を用いて、実施の形態２にかかるＩＤ管理装置３００の管理方法（管理プログラム）について説明する。
【０１１４】
まず、ＩＤ情報受信部３０４は、安否携帯２００から携帯電話基地局５１０及び通信網５００を介してＩＤ情報２５１を受信する（Ｓ３０１１）。
【０１１５】
ＩＤ蓄積部３０１は、ＩＤ情報受信部３０４よりＩＤ情報２５１を入力する（Ｓ３０１２）。ＩＤ蓄積部３０１は、ＩＤ情報２５１を入力すると、処理装置により、ＩＤ情報２５１のステータス２５１６が緊急ステータスであるか否かを判定する（Ｓ３０１３）。ＩＤ蓄積部３０１は、入力したＩＤ情報２５１のステータス２５１６が緊急ステータスの場合は、入力したＩＤ情報２５１は緊急時ＩＤ情報２５２であると判断する。
【０１１６】
ＩＤ蓄積部３０１は、入力したＩＤ情報２５１が緊急時ＩＤ情報２５２でない場合（Ｓ３０１３でＮＯ）、Ｓ３０１４へ進む。ＩＤ蓄積部３０１は、入力したＩＤ情報２５１が緊急時ＩＤ情報２５２である場合（Ｓ３０１３でＹＥＳ）、Ｓ３０１６へ進む。
【０１１７】
Ｓ３０１４において、ＩＤ蓄積部３０１は、処理装置により、入力したＩＤ情報２５１の受信タグＩＤ２５１１を用いてＩＤ管理テーブル３０６を参照する。ＩＤ蓄積部３０１は、処理装置により、入力したＩＤ情報２５１の受信タグＩＤ２５１１に対応する登録範囲情報を取得する。
【０１１８】
Ｓ３０１５において、ＩＤ蓄積部３０１は、取得した登録範囲情報と入力したＩＤ情報２５１の端末位置情報２５１５とを処理装置により比較し、端末位置情報２５１５が登録範囲内であるか否かを処理装置により判断する。ＩＤ蓄積部３０１は、端末位置情報２５１５が登録範囲外でない場合（Ｓ３０１５でＮＯ）は、Ｓ３０１９に進む。
【０１１９】
端末位置情報２５１５が登録範囲外である場合（Ｓ３０１５でＹＥＳ）は、ＩＤ蓄積部３０１は、入力したＩＤ情報２５１に対応する管理対象者１１０が行動範囲として許容される範囲を逸脱し危険である可能性を意味するので、当該ＩＤ情報２５１を緊急時ＩＤ情報２５２であると判断して、Ｓ３０１６へ進む。
【０１２０】
Ｓ３０１６において、ＩＤ蓄積部３０１は、記憶装置に記憶されているＩＤ管理テーブル３０６を処理装置により参照する。ＩＤ蓄積部３０１は、ＩＤ管理テーブル３０６を処理装置により参照して、緊急時ＩＤ情報２５２に含まれる受信タグＩＤ２５１１に対応する管理者４１０の緊急連絡先と緊急連絡方法とを取得する。ＩＤ蓄積部３０１は、緊急処理部３０５に、入力した緊急時ＩＤ情報２５２と取得した緊急連絡先と緊急連絡方法とを出力する。
【０１２１】
Ｓ３０１７において、ＩＤ蓄積部３０１は、緊急時ＩＤ情報２５２を記憶装置に記憶されているＩＤ管理テーブル３０６に登録する。ＩＤ蓄積部３０１は、緊急時ＩＤ情報２５２に含まれる受信タグＩＤ２５１１を安否タグＩＤ３０３１に設定し、緊急時ＩＤ情報２５２に含まれる受信日時情報２５１２を受信日時３０３２に設定し、緊急時ＩＤ情報２５２に含まれる受信基地局情報２５１３を受信基地局情報３０３３に設定し、緊急時ＩＤ情報２５２に含まれる受信携帯電話情報２５１４を受信携帯電話情報３０３４に設定し、緊急時ＩＤ情報２５２に含まれる端末位置情報２５１５を端末位置情報３０３５に設定し、緊急時ＩＤ情報２５２に含まれるステータス２５１６をＩＤステータス３０３６に設定する。ここでは、ステータス２５１６は緊急ステータスである。このように、ＩＤ情報データベース３０３には、受信した緊急時ＩＤ情報２５２を１レコードとして緊急時ＩＤ情報２５２が蓄積される。
【０１２２】
Ｓ３０１８において、緊急処理部３０５は、ＩＤ蓄積部３０１から、緊急時ＩＤ情報２５２と緊急連絡先と緊急連絡方法とを入力すると、緊急時ＩＤ情報２５２の受信タグＩＤ２５１１（タグＩＤ１５０（当該タグＩＤ１５０を所持する管理対象者１１０））が緊急時であることを通知する緊急通知３５０を生成して、入力した緊急連絡方法にしたがって管理端末４００、および、または電話器、放送設備（スピーカー等）、ファクシミリ機、ディスプレイ装置などの出力装置４２０に対して緊急通知３５０（緊急を示す通知）を通知（出力）する。
【０１２３】
Ｓ３０１９〜Ｓ３０２０の処理は、図４におけるＳ３０２〜Ｓ３０３の処理と同様である。
【０１２４】
以上のように、実施の形態２における安否確認システム８００では、管理対象者１１０の緊急時を判断して、管理者４１０に直ちに通知することができる。
【０１２５】
図８は、管理対象者１１０により操作される緊急スイッチ１０４を備えた安否タグ１００の外観を示す図である。
【０１２６】
図８の（１）通常時（緊急スイッチオフの状態）に示すように、緊急スイッチ１０４は、安否タグ１００（無線タグ）に設けられた差込穴部１２３と、差込穴部１２３に差し込まれる緊急プラグ１２０とから構成される。図８の（１）通常時（緊急スイッチオフの状態）では、緊急プラグ１２０が差込穴部１２３に差し込まれていない状態であり、この状態は緊急スイッチ１０４がオフの状態である。安否タグ１００のタグ発信部１０２は、緊急スイッチ１０４がオフの状態では、緊急時ＩＤ１５１は発信しない（緊急時ＩＤ１５１ＯＦＦ）。
【０１２７】
管理対象者１１０は、安否タグ１００本体と緊急時に安否タグ１００の差込穴部１２３に挿入する緊急プラグ１２０とを別々に携行する。例えば、安否タグ１００の本体は管理対象者１１０の衣服の内側やポケットの内側等にマジックテープ（登録商標）等により剥がれないように貼り付ける。このようにすることにより、誘拐や連れ去り等の犯罪に巻き込まれた場合でも、犯人に見つけられる可能性が少なく、管理対象者１１０自身から離される可能性が低くなる。また、管理対象者１１０は、緊急プラグ１２０にストラップ１２４等を付けて、例えば、ベルトや衣服の内側等に携行する。そして、管理対象者１１０は、緊急時には容易に緊急プラグ１２０を安否タグ１００本体の差込穴部１２３に挿入することができるようにして携行することが好ましい。
【０１２８】
図８の（２）緊急時ＩＤ１５１発信（緊急スイッチオンの状態）に示すように、管理対象者１１０により、緊急プラグ１２０が差込穴部１２３に差し込まれることにより、緊急スイッチ１０４はオンに操作される。緊急プラグ１２０は、差込穴部１２３に挿入される部分であるプラグ差込部１２２と、プラグ差込部１２２が差込穴部１２３に挿入された場合でも差込穴部１２３の外部に露出するようにプラグ差込部１２２と連結されて設けられたプラグ頭部１２１とを有する。すなわち、図８の（２）緊急時ＩＤ１５１（救助信号）発信に示すように、管理対象者１１０は、緊急時には緊急プラグ１２０のプラグ頭部１２１を掴んで、安否タグ１００の差込穴部１２３に緊急プラグ１２０のプラグ差込部１２２を挿入する操作をすることにより、緊急スイッチ１０４はオンの状態となる。安否タグ１００のタグ発信部１０２は、緊急スイッチ１０４がオンの状態では、安否携帯２００からのＩＤ発信要求２５０の有無にかかわらず、緊急時ＩＤ１５１を発信し続ける（緊急時ＩＤ１５１ＯＮ）。
【０１２９】
図８（３）緊急時ＩＤ１５１停止（緊急スイッチオフの状態）は、緊急スイッチ１０４をオンにした後に、管理対象者１１０がやはり緊急度合いが低いと判断して緊急スイッチ１０４を再びオフにする場合である。このとき、管理対象者１１０は、安否タグ１００の本体から緊急プラグ１２０を引き抜くことにより、安否タグ１００の緊急スイッチ１０４がオフの状態となる。安否タグ１００のタグ発信部１０２は、緊急スイッチ１０４がオフの状態では、緊急時ＩＤ１５１は発信しない（緊急時ＩＤ１５１ＯＦＦ）。
【０１３０】
図８（４）緊急時ＩＤ１５１発信継続（緊急スイッチオンの状態（停止不可））は、緊急スイッチ１０４をオンにした後に、管理対象者１１０が緊急度合いが高いと判断して緊急スイッチ１０４を誤ってオフにすること（誤動作）がないようにする場合である。このとき、管理対象者１１０は、安否タグ１００の本体に挿入されている緊急プラグ１２０について、緊急プラグ１２０が安否タグ１００の本体に挿入されている状態のままで、プラグ頭部１２１とプラグ差込部１２２とを切断する。これにより、緊急スイッチ１０４は、オンの状態からオフの状態に戻すことができなくなり、緊急スイッチ１０４のオンの状態が継続する。安否タグ１００のタグ発信部１０２は、緊急スイッチ１０４がオンの状態では、安否携帯２００からのＩＤ発信要求２５０の有無にかかわらず、緊急時ＩＤ１５１を発信し続ける（緊急時ＩＤ１５１ＯＮ）。例えば、安否タグ１００のタグ発信部１０２は、緊急スイッチ１０４について緊急プラグ１２０が切断されたことを検出した場合に、タグＩＤ１５０に緊急ステータスを付与した緊急時ＩＤ１５１よりも、より緊急度が高いことを示す超緊急ステータスをタグＩＤ１５０に付与して超緊急時ＩＤ１５２として発信し続けてもよい。
【０１３１】
図９は、図８に示す安否タグ１００の緊急スイッチ１０４の機能ブロックを示す図である。図９を用いて、安否タグ１００の緊急スイッチ１０４の機能及び緊急時の処理について説明する。
【０１３２】
図９では、安否タグ１００の緊急スイッチ１０４とタグ発信部１０２以外の機能ブロック（タグ受信部１０１、ＩＤ記憶部１０３、メモリ１０５、処理装置１０６（図５参照））については、省略している。
【０１３３】
緊急スイッチ１０４は、緊急プラグ１２０と安否タグ１００の本体に設けられた差込穴部１２３とからなる。緊急プラグ１２０は、プラグ頭部１２１とプラグ差込部１２２とからなり、プラグ差込部１２２はキーＩＤ記憶部１３１を備えている。プラグ頭部１２１とプラグ差込部１２２とは、切断可能に構成されている。緊急プラグ１２０は、プラグ差込部１２２とプラグ頭部１２１とに渡る導線１４０（配線）を有し、プラグ差込部１２２は、配線端子１４１ａ，配線端子１４１ｂを有しており、導線１４０は配線端子１４１ａからプラグ差込部１２２を通過してプラグ頭部１２１に渡り、再びプラグ差込部１２２に戻って配線端子１４１ｂに接続される。すなわち、プラグ頭部１２１とプラグ差込部１２２とが切断されると、導線１４０も切断されることになる。キーＩＤ記憶部１３１には、キーＩＤ１３１１が予め記憶されている。キーＩＤ記憶部１３１は、端子１４２に接続されている。
【０１３４】
安否タグ１００の差込穴部１２３は、配線端子１４４ａ、配線端子１４４ｂ、端子１４５を有する。緊急プラグ１２０が差込穴部１２３に挿入された場合に、配線端子１４４ａは配線端子１４１ａと接続し、配線端子１４４ｂは配線端子１４１ｂと接続し、端子１４５は端子１４２と接続するように構成される。また、安否タグ１００の本体は、プラグ挿入検出部１３２、キーＩＤ記憶部１３３、プラグ切断検出部１３４、タグ発信部１０２を備えている。
【０１３５】
プラグ挿入検出部１３２は、緊急プラグ１２０のプラグ差込部１２２が差込穴部１２３に挿入されたことを検出する。図９（２）緊急時ＩＤ（救助信号）発信に示すように、緊急プラグ１２０が差込穴部１２３に挿入されると、端子１４２と端子１４５が接続され、プラグ挿入検出部１３２は、緊急プラグ１２０のキーＩＤ記憶部１３１と安否タグ１００本体のキーＩＤ記憶部１３３とを処理装置１０６を用いて参照することができる。プラグ挿入検出部１３２は、緊急プラグ１２０のキーＩＤ記憶部１３１に記憶されるキーＩＤ１３１１と、キーＩＤ記憶部１３３に記憶されるキーＩＤ１３３１とを処理装置１０６を用いて比較する。プラグ挿入検出部１３２は、処理装置１０６によりキーＩＤ１３１１とキーＩＤ１３３１とが一致すると判断した場合には、緊急プラグ１２０のプラグ差込部１２２が差込穴部１２３に挿入されたと判断し、プラグ挿入検出信号１３２１をタグ発信部１０２に出力する。
【０１３６】
プラグ切断検出部１３４は、緊急プラグ１２０のプラグ差込部１２２が差込穴部１２３に差し込まれた場合に、配線端子１４４ａと配線端子１４４ａに接続する配線端子１４１ａと、導線１４０と、配線端子１４１ｂと配線端子１４１ｂに接続する配線端子１４４ｂとに渡って通電した配線の通電状態を検出することにより、緊急プラグ１２０のプラグ差込部１２２とプラグ頭部１２１とが切断されたか否かを処理装置１０６により検出する。
【０１３７】
図９（２）緊急時ＩＤ発信に示すように、プラグ切断検出部１３４は、プラグ頭部１２１とプラグ差込部１２２とが切断されていない場合には、配線端子１４１ａ，１４４ａ，１４１ｂ，１４４ｂから導線１４０（配線）に通電していて、プラグ切断検出部１３４は、緊急プラグ１２０のプラグ差込部１２２とプラグ頭部１２１との切断を検出しない。
【０１３８】
しかし、図９（４）緊急時ＩＤ発信継続に示すように、プラグ差込部１２２とプラグ頭部１２１とが切断されると、プラグ頭部１２１を通る導線１４０が切断されるので、プラグ切断検出部１３４は、配線端子１４１ａ，１４４ａ，１４１ｂ，１４４ｂから導線１４０（配線）の通電が切断されたこと（通電断絶）を処理装置１０６により検出する。プラグ切断検出部１３４は、プラグ頭部１２１とプラグ差込部１２２との切断を検出した場合に、プラグ切断検出信号１３４１をタグ発信部１０２に出力する。
【０１３９】
タグ発信部１０２は、プラグ挿入検出部１３２からプラグ挿入検出信号１３２１を入力すると、安否携帯２００からのＩＤ発信要求２５０の受信の有無にかかわらず、緊急時ＩＤ１５１（救助信号）を発信する。あるいは、タグ発信部１０２は、プラグ挿入検出部１３２からのプラグ挿入検出信号１３２１を入力し、かつ、プラグ切断検出部１３４からのプラグ切断検出信号１３４１を入力した場合に、緊急時ＩＤ１５１を発信するとしてもよい。あるいは、タグ発信部１０２は、プラグ切断検出部１３４からのプラグ切断検出信号１３４１を入力した場合には、プラグ挿入検出信号１３２１の入力の有無にかかわらず緊急時ＩＤ１５１を発信するとしてもよい。あるいは、タグ発信部１０２は、プラグ挿入検出部１３２からのプラグ挿入検出信号１３２１を入力して、緊急時ＩＤ１５１を発信している間に、プラグ切断検出部１３４からのプラグ切断検出信号１３４１を入力した場合には、緊急時ＩＤ１５１よりも緊急度が高いことを示す超緊急時ＩＤ１５２を発信し続けるとしてもよい。
【０１４０】
タグ発信部１０２が、緊急時ＩＤ１５１あるいは超緊急時ＩＤ１５２を発信した後の処理については、実施の形態１で説明したものと同様である。
【０１４１】
以上のように、安否タグ１００のタグ発信部１０２は、緊急時に管理対象者１１０の操作により緊急スイッチ１０４がオンになった場合には、タグＩＤ１５０に緊急ステータスが付与された緊急時ＩＤ１５１あるいはタグＩＤ１５０に超緊急ステータスが付与された超緊急時ＩＤ１５２を発信し続ける。このため、管理対象者１１０の緊急度の高さに応じた情報を発信することができるので、救助する者が緊急度を識別することができる。
【０１４２】
以上のように、実施の形態２では、緊急スイッチ１０４を備えた安否タグ１００及び安否確認システム８００について説明した。
【０１４３】
実施の形態２に係る安否確認システム８００は、安否タグ１００の緊急スイッチ１０４において、管理対象者１１０が緊急スイッチ１０４をオンの状態にする操作（救助信号をＯＮにする動作）に、緊急プラグ１２０を安否タグ１００の本体の差込穴部１２３に差し込む方式を採用する。
【０１４４】
実施の形態２に係る安否確認システム８００は、安否タグ１００が安否タグ１００（救助信号発信装置）の本体と緊急プラグ１２０（救助信号発信プラグ）の２つの部品に分離しており、緊急時に本体にプラグを差し込むことで、緊急時ＩＤ１５１あるいは超緊急時ＩＤ１５２（救助信号）を発信させる。管理対象者１１０が意志を持って緊急プラグ１２０を射し込むので、誤報を防止することができる。
【０１４５】
実施の形態２に係る安否確認システム８００は、安否タグ１００の緊急プラグ１２０にキーＩＤ１３１１（識別ＩＤ）を設定できるようにし、あらかじめ指定されたプラグ以外では動作させないようにすることも可能とする。これにより、本人が操作したことの信頼性を高める。また、キーＩＤを識別せずに、緊急プラグ１２０の差込みだけで緊急時ＩＤ（救助信号）を発信することも可能とする。
【０１４６】
実施の形態２に係る安否確認システム８００は、安否タグ１００の緊急スイッチ１０４において、緊急プラグ１２０を差した状態で、プラグ頭部１２１を物理的に切断することで、容易に緊急時ＩＤ１５１あるいは超緊急時ＩＤ１５２（救助信号）の発信を止められないようにする。これにより、例えば誘拐等の犯人等の第三者に救助信号をＯＦＦさせることを防ぎ、援助を行う者に誤報として誤認されることを防ぐことができる。
【０１４７】
実施の形態２に係る安否確認システム８００は、安否タグ１００において、緊急時ＩＤ１５１あるいは超緊急時ＩＤ１５２（救助信号）は、プラグを差し込んだ状態と、プラグ頭部を切断した状態で異なる救助信号を発信することができ、救助信号を検知した援助を行う者が、緊急の深刻度合いを識別することができる。
【０１４８】
実施の形態３．
実施の形態２では、安否確認システム８００の安否タグ１００は、管理対象者１１０により緊急スイッチ１０４がオンに操作された場合に緊急時ＩＤ１５１または超緊急時ＩＤ１５２を発信するものである。そして、安否確認システム８００では、安否タグ１００が発信したタグＩＤ１５０（緊急時ＩＤ１５１、超緊急時ＩＤ１５２を含む）を周辺に存在する安否携帯２００が受信してＩＤ情報２５１（緊急時ＩＤ情報２５２、超緊急時ＩＤ情報２５３を含む）を生成してＩＤ管理装置３００へ送信するものである。
【０１４９】
しかし、安否タグ１００の発信する信号は、必ずしもタグＩＤ１５０（緊急時ＩＤ１５１、超緊急時ＩＤ１５２を含む）でなくても構わない。例えば、安否タグ１００の発信する信号は、周辺に緊急を知らせるための大きな音の警報ブザー、あるいは、直接警察や警備会社に通報される特殊な信号等の警報信号であってもよい。あるいは、タグＩＤ１５０（緊急時ＩＤ１５１及び超緊急時ＩＤ１５２を含む）の発信と同時に、これらの警報ブザーや警報信号を併せて発信するとしてもよい。以下の説明では、タグＩＤ１５０（緊急時ＩＤ１５１及び超緊急時ＩＤ１５２を含む）と警報ブザーや警報信号とを併せて救助信号とも呼ぶものとする。
【０１５０】
実施の形態３では、以下のような警報（救助信号）を発信する警報装置（安否タグ１００）及び警報装置のプログラムについて説明する。
【０１５１】
実施の形態３にかかる警報装置（安否タグ１００）は、
差込穴（差込穴部１２３）を有し、警報（救助信号）を発信する警報機（安否タグ１００本体）と、警報機の差込穴に挿入される差込部（プラグ差込部１２２）と、差込部と連結され警報機の外部に露出する頭部（プラグ頭部１２１）とを有し、差込部と頭部とが切断可能な警報プラグ（緊急プラグ１２０）とを備えたことを特徴とする。
【０１５２】
実施の形態３にかかる警報装置は、
警報機は、警報プラグの差込部が差込穴に挿入されたことを検出するプラグ挿入検出部１３２と、警報プラグの差込部が差込穴に挿入されたことをプラグ挿入検出部１３２が検出した場合に、警報（救助信号）の発信を開始する警報発信部（タグ発信部１０２）とを備えたことを特徴とする。
【０１５３】
実施の形態３にかかる警報装置は、
警報プラグの頭部は、差込部が差込穴に挿入された場合でも警報機の外部に露出し、警報プラグは、差込部と頭部とに渡る配線（導線１４０）を有し、差込部は配線の配線端子（１４１ａ，１４１ｂ）を有し、
警報機は、警報プラグの差込部が差込穴に差し込まれた場合に、配線端子から配線に通電して配線の通電状態を検出することにより、警報プラグの差込部と頭部とが切断されたことを検出するプラグ切断検出部１３４を備え、
警報発信部は、警報プラグの差込部が差込穴に挿入されていることをプラグ挿入検出部が検出し、かつ、プラグ切断検出部が警報プラグの差込部と頭部とが切断されたことを検出した場合には、プラグ挿入検出部の検出結果にかかわらず、警報の発信を続けることを特徴とする。
【０１５４】
実施の形態３にかかる警報装置は、
警報発信部は、警報プラグの差込部が差込穴に挿入されたことをプラグ挿入検出部が検出した場合に、第１の警報（例えば、緊急時ＩＤ１５１）を発信し、プラグ切断検出部が警報プラグの差込部と頭部とが切断されたことを検出した場合に、第１の警報とは異なる第２の警報（例えば、超緊急時ＩＤ１５２）を発信することを特徴とする。
【０１５５】
実施の形態３にかかる警報装置は、
警報機は、本体識別子（ＩＤ）を記憶する本体ＩＤ記憶部（キーＩＤ記憶部１３３）を備え、警報プラグは、プラグ識別子（ＩＤ）を記憶するプラグＩＤ記憶部（キーＩＤ記憶部１３１）を備え、
プラグ挿入検出部は、警報プラグの差込部が差込穴に挿入された場合、本体ＩＤ記憶部が記憶する本体ＩＤ（キーＩＤ１３３１）とプラグＩＤ記憶部が記憶するプラグＩＤ（キーＩＤ１３１１）とを比較し、両ＩＤが一致した場合に、警報プラグの差込部が差込穴に挿入されたものとすることを特徴とする。
【０１５６】
実施の形態３にかかるプログラムは、
差込部と頭部とが切断可能な警報プラグを差込穴に挿入する警報機が備えるコンピュータを、警報プラグの差込部が差込穴に挿入されたことを検出するプラグ挿入検出部と、警報プラグの差込部が差込穴に挿入されたことをプラグ挿入検出部が検出した場合に、警報の発信を開始する警報発信部として機能させることを特徴とする。
【０１５７】
実施の形態３にかかるプログラムは、
警報プラグは、差込部と頭部とに渡る配線を有し、差込部は配線の配線端子を有し、上記プログラムは、警報機が備えるコンピュータを、警報プラグの差込部が差込穴に差し込まれた場合に、配線端子から配線に通電して配線の通電状態を検出することにより、警報プラグの差込部と頭部とが切断されたことを検出するプラグ切断検出部として機能させ、
警報発信部は、警報プラグの差込部が差込穴に挿入されていることをプラグ挿入検出部が検出し、かつ、プラグ切断検出部が警報プラグの差込部と頭部とが切断されたことを検出した場合には、プラグ挿入検出部の検出結果にかかわらず、警報の発信を続けることを特徴とする。
【０１５８】
実施の形態３にかかるプログラムは、
警報発信部は、警報プラグの差込部が差込穴に挿入されたことをプラグ挿入検出部が検出した場合に、第１の警報を発信し、プラグ切断検出部が警報プラグの差込部と頭部とが切断されたことを検出した場合に、第１の警報とは異なる第２の警報を発信することを特徴とする。
【０１５９】
実施の形態３にかかるプログラムは、
警報機は、本体識別子（ＩＤ）を記憶する本体ＩＤ記憶部を備え、警報プラグは、プラグ識別子（ＩＤ）を記憶するプラグＩＤ記憶部を備え、
プラグ挿入検出部は、警報プラグの差込部が差込穴に挿入された場合、本体ＩＤ記憶部が記憶する本体ＩＤとプラグＩＤ記憶部が記憶するプラグＩＤとを比較し、両ＩＤが一致した場合に、警報プラグの差込部が差込穴に挿入されたものとすることを特徴とする。
【０１６０】
図１１は、上述したの実施の形態に係るＩＤ管理装置３００（管理装置の一例）の外観の一例を示す図である。
【０１６１】
図１１において、ＩＤ管理装置３００は、システムユニット９１０、ＣＲＴ（Ｃａｔｈｏｄｅ・Ｒａｙ・Ｔｕｂｅ）やＬＣＤ（液晶）の表示画面を有する表示装置９０１、キーボード９０２（Ｋｅｙ・Ｂｏａｒｄ：Ｋ／Ｂ）、マウス９０３、ＦＤＤ９０４（Ｆｌｅｘｉｂｌｅ・Ｄｉｓｋ・  Ｄｒｉｖｅ）、コンパクトディスク装置９０５（ＣＤＤ）、プリンタ装置９０６、スキャナ装置９０７などのハードウェア資源を備え、これらはケーブルや信号線で接続されている。
【０１６２】
システムユニット９１０は、コンピュータであり、ファクシミリ機９３２、電話器９３１とケーブルで接続され、また、ローカルエリアネットワーク９４２（ＬＡＮ）、ゲートウェイ９４１を介してインターネット９４０に接続されている。
【０１６３】
図１２は、上述したの実施の形態に係るＩＤ管理装置３００のハードウェア資源の一例を示す図である。
【０１６４】
図１２において、ＩＤ管理装置３００は、プログラムを実行するＣＰＵ９１１（Ｃｅｎｔｒａｌ・Ｐｒｏｃｅｓｓｉｎｇ・Ｕｎｉｔ、中央処理装置、処理装置、演算装置、マイクロプロセッサ、マイクロコンピュータ、プロセッサともいう）を備えている。ＣＰＵ９１１は、バス９１２を介してＲＯＭ９１３、ＲＡＭ９１４、通信ボード９１５、表示装置９０１、キーボード９０２、マウス９０３、ＦＤＤ９０４、ＣＤＤ９０５、プリンタ装置９０６、スキャナ装置９０７、磁気ディスク装置９２０と接続され、これらのハードウェアデバイスを制御する。磁気ディスク装置９２０の代わりに、光ディスク装置、メモリカード読み書き装置などの記憶装置でもよい。
【０１６５】
ＲＡＭ９１４は、揮発性メモリの一例である。ＲＯＭ９１３、ＦＤＤ９０４、ＣＤＤ９０５、磁気ディスク装置９２０の記憶媒体は、不揮発性メモリの一例である。これらは、記憶装置あるいは記憶部の一例である。
【０１６６】
通信ボード９１５、キーボード９０２、スキャナ装置９０７、ＦＤＤ９０４などは、入力部、入力装置の一例である。
【０１６７】
また、通信ボード９１５、表示装置９０１、プリンタ装置９０６などは、出力部、出力装置の一例である。
【０１６８】
通信ボード９１５は、ファクシミリ機９３２、電話器９３１、ＬＡＮ９４２等に接続されている。通信ボード９１５は、ＬＡＮ９４２に限らず、インターネット９４０、ＩＳＤＮ等のＷＡＮ（ワイドエリアネットワーク）などに接続されていても構わない。インターネット９４０或いはＩＳＤＮ等のＷＡＮに接続されている場合、ゲートウェイ９４１は不用となる。
【０１６９】
磁気ディスク装置９２０には、オペレーティングシステム９２１（ＯＳ）、ウィンドウシステム９２２、プログラム群９２３、ファイル群９２４が記憶されている。プログラム群９２３のプログラムは、ＣＰＵ９１１、オペレーティングシステム９２１、ウィンドウシステム９２２により実行される。
【０１７０】
上記プログラム群９２３には、上述した実施の形態の説明において「〜部」として説明する機能を実行するプログラムが記憶されている。プログラムは、ＣＰＵ９１１により読み出され実行される。
【０１７１】
ファイル群９２４には、上述した実施の形態の説明において、「〜の判定結果」、「〜の計算結果」、「〜の処理結果」として説明する情報やデータや信号値や変数値やパラメータが、「〜ファイル」、「〜データベース」、「〜データ」の各項目として記憶されている。「〜ファイル」、「〜データベース」、「〜データ」は、ディスクやメモリなどの記録媒体に記憶される。ディスクやメモリになどの記憶媒体に記憶された情報やデータや信号値や変数値やパラメータは、読み書き回路を介してＣＰＵ９１１によりメインメモリやキャッシュメモリに読み出され、抽出・検索・参照・比較・演算・計算・処理・出力・印刷・表示などのＣＰＵの動作に用いられる。抽出・検索・参照・比較・演算・計算・処理・出力・印刷・表示のＣＰＵの動作の間、情報やデータや信号値や変数値やパラメータは、メインメモリやキャッシュメモリやバッファメモリに一時的に記憶される。
【０１７２】
また、上述した実施の形態の説明において説明するフローチャートの矢印の部分は主としてデータや信号の入出力を示し、データや信号値は、ＲＡＭ９１４のメモリ、ＦＤＤ９０４のフレキシブルディスク、ＣＤＤ９０５のコンパクトディスク、磁気ディスク装置９２０の磁気ディスク、その他光ディスク、ミニディスク、ＤＶＤ（Ｄｉｇｉｔａｌ・Ｖｅｒｓａｔｉｌｅ・Ｄｉｓｋ）等の記録媒体に記録される。また、データや信号は、バス９１２や信号線やケーブルその他の伝送媒体によりオンライン伝送される。
【０１７３】
また、上述した実施の形態の説明において「〜部」として説明するものは、「〜回路」、「〜装置」、「〜機器」、「〜手段」であってもよく、また、「〜ステップ」、「〜手順」、「〜処理」であってもよい。すなわち、「〜部」として説明するものは、ＲＯＭ９１３に記憶されたファームウェアで実現されていても構わない。或いは、ソフトウェアのみ、或いは、素子・デバイス・基板・配線などのハードウェアのみ、或いは、ソフトウェアとハードウェアとの組み合わせ、さらには、ファームウェアとの組み合わせで実施されても構わない。ファームウェアとソフトウェアは、プログラムとして、磁気ディスク、フレキシブルディスク、光ディスク、コンパクトディスク、ミニディスク、ＤＶＤ等の記録媒体に記憶される。プログラムはＣＰＵ９１１により読み出され、ＣＰＵ９１１により実行される。すなわち、プログラムは、上述した「〜部」としてコンピュータを機能させるものである。あるいは、上述した「〜部」の手順や方法をコンピュータに実行させるものである。
【０１７４】
以上、実施の形態１〜３について説明したが、これらのうち、２つ以上の実施の形態を組み合わせて実施しても構わない。あるいは、これらのうち、１つの実施の形態を部分的に実施しても構わない。あるいは、これらのうち、２つ以上の実施の形態を部分的に組み合わせて実施しても構わない。
【０１７５】
また、実施の形態１〜３の説明において、安否タグ１００おけるタグ受信部１０１とタグ発信部１０２とはそれぞれ独立した機能ブロックとして構成されているが、ひとつの機能ブロックとしてもよい。
【０１７６】
また、安否携帯２００における安否タグ通信部２０１、ＩＤ伝送処理部２０２、位置情報取得部２０３、通信部２０４とはそれぞれ独立した機能ブロックとして構成されているが、ひとつの機能ブロックとしてもよい。また、安否タグ通信部２０１と通信部２０４とをひとつの機能ブロックとし、ＩＤ伝送処理部２０２と位置情報取得部２０３とをひとつの機能ブロックとしてもよい。あるいは、これらの機能ブロックを、他のどのような組み合わせで構成しても構わない。また、ＩＤ管理装置３００の備える機能ブロック（ＩＤ情報受信部３０４、ＩＤ蓄積部３０１、ＩＤ検索部３０２、緊急処理部３０５）についても同様に、これらの機能ブロックを、どのような組み合わせで構成しても構わない。
【図面の簡単な説明】
【０１７７】
【図１】実施の形態１に係る安否確認システム８００のシステム構成図。
【図２】実施の形態１に係る安否タグ１００及び安否携帯２００の機能ブロック構成を示す図。
【図３】実施の形態１に係るＩＤ管理装置３００の機能ブロック図。
【図４】実施の形態１に係る安否確認システム８００の管理方法を示すフロー図。
【図５】実施の形態２に係る安否タグ１００及び安否携帯２００の機能ブロック図。
【図６】実施の形態２に係るＩＤ管理装置３００の機能ブロック図。
【図７】実施の形態２に係る安否確認システム８００の管理方法を示すフロー図である。
【図８】管理対象者１１０により操作される緊急スイッチ１０４を備えた安否タグ１００の外観を示す図。
【図９】図８に示す安否タグ１００の緊急スイッチ１０４の機能ブロックを示す図。
【図１０】従来の管理システムのシステム構成図。
【図１１】実施の形態１〜３に係るＩＤ管理装置３００（管理装置の一例）の外観の一例を示す図である。
【図１２】実施の形態１〜３に係るＩＤ管理装置３００のハードウェア資源の一例を示す図。
【符号の説明】
【０１７８】
１００  安否タグ、１０１  タグ受信部、１０２  タグ発信部、１０３  ＩＤ記憶部、１０４  緊急スイッチ、１０５  メモリ、１０６  処理装置、１１０  管理対象者、１２０  緊急プラグ、１２１  プラグ頭部、１２２  プラグ差込部、１２３  差込穴部、１２４  ストラップ、１３１  キーＩＤ記憶部、１３２  プラグ挿入検出部、１３３  キーＩＤ記憶部、１３４  プラグ切断検出部、１４０  導線、１４１ａ，１４１ｂ  配線端子、１４２  端子、１４４ａ，１４４ｂ  配線端子、１４５  端子、１５０  タグＩＤ、１５１  緊急時ＩＤ、１５２  超緊急時ＩＤ、２００  安否携帯、２０１  安否タグ通信部、２０２  ＩＤ伝送処理部、２０３  位置情報取得部、２０４  通信部、２０５  メモリ、２０６  処理装置、２５０  ＩＤ発信要求、２５１  ＩＤ情報、２５２  緊急時ＩＤ情報、２５３  超緊急時ＩＤ情報、３００  ＩＤ管理装置、３０１  ＩＤ蓄積部、３０２  ＩＤ検索部、３０３  ＩＤ情報データベース、３０４  ＩＤ情報受信部、３０５  緊急処理部、３０６  ＩＤ管理テーブル、３５０  緊急通知、４００  管理端末、４１０  管理者、４２０  出力装置、５００  通信網、５１０  携帯電話基地局、６００  インターネット、８００  安否確認システム、９０１  表示装置、９０２  キーボード、９０３  マウス、９０４  ＦＤＤ、９０５  ＣＤＤ、９０６  プリンタ装置、９０７  スキャナ装置、９１０  システムユニット、９１１  ＣＰＵ、９１２  バス、９１３  ＲＯＭ、９１４  ＲＡＭ、９１５  通信ボード、９２０  磁気ディスク装置、９２１  ＯＳ、９２２  ウィンドウシステム、９２３  プログラム群、９２４  ファイル群、９３１  電話器、９３２  ファクシミリ機、９４０  インターネット、９４１  ゲートウェイ、９４２  ＬＡＮ、１３１１  キーＩＤ、１３２１  プラグ挿入検出信号、１３３１  キーＩＤ、１３４１  プラグ切断検出信号、３０３１  安否タグＩＤ、３０３２  受信日時、３０３３  受信基地局情報、３０３４  受信携帯電話情報、３０３５  端末位置情報、３０３６  ＩＤステータス。
【図１】
2010015407.tif 000003
【図２】
2010015407.tif 000004
【図３】
2010015407.tif 000005
【図４】
2010015407.tif 000006
【図５】
2010015407.tif 000007
【図６】
2010015407.tif 000008
【図７】
2010015407.tif 000009
【図８】
2010015407.tif 000010
【図９】
2010015407.tif 000011
【図１０】
2010015407.tif 000012
【図１１】
2010015407.tif 000013
【図１２】
2010015407.tif 000014